(57)【要約】各事業者からの利用料金等の請求をクレジットカードを用いて行う決済システム等に関する。  交通機関側システムは、ＩＣカードに記録している情報の読み書きを行う読書装置と、ＩＣカード識別情報と充当金額／利用料金とを読書装置から受信し記録する制御装置と、仮想ＩＤを交通機関側仮想ＩＤデータベースより抽出し、仮想ＩＤと充当金額／利用料金とを請求データとして決済機関側システムに送信する管理装置とからなり、決済機関側システムは、クレジットカード番号を決済機関側仮想ＩＤデータベースから抽出し、クレジットカード番号と請求データの充当金額／利用料金とを、クレジットカード利用データベースに記録する料金請求装置とからなる。
2004107233.tif 000002
【特許請求の範囲】
【請求項１】
オートチャージ方式又は後払い方式の決済方式を用いる決済システムであって、
前記決済システムは、交通機関の事業者が有する交通機関側システムと決済機関が有する決済機関側システムとからなり、
前記交通機関側システムは、
ＩＣカード又は利用者を識別するＩＣカード識別情報と前記ＩＣカードに対して充当した充当金額又は前記ＩＣカードを有する利用者の利用料金とを関連づけて記録している交通機関利用データベースと、
ＩＣカード識別情報と、ＩＣカード又は利用者に対して予め付与されている仮想ＩＤとを関連づけて記録している交通機関側仮想ＩＤデータベースと、
前記ＩＣカードに記録している情報の読み書きを行う読書装置と、
前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、
前記読書装置が前記ＩＣカードから読み取った前記ＩＣカード識別情報に関連づけられた仮想ＩＤを前記決済機関側仮想ＩＤデータベースより抽出し、前記抽出した仮想ＩＤと前記充当金額又は利用料金とを請求データとして前記決済機関側システムに送信する管理装置と、からなり、
前記決済機関側システムは、
ＩＣカード又は利用者に対して予め付与されている前記仮想ＩＤとクレジットカード番号とを関連づけて記録している決済機関側仮想ＩＤデータベースと、
前記クレジットカード番号と充当金額又は利用料金とを関連づけて記録しているクレジットカード利用データベースと、
前記交通機関側システムから前記請求データを受信し、前記請求データに於ける前記仮想ＩＤに関連づけられたクレジットカード番号を前記決済機関側仮想ＩＤデータベースから抽出し、前記抽出したクレジットカード番号と前記請求データに於ける充当金額又は利用料金とを、前記クレジットカード利用データベースに記録する料金請求装置と、からなる
ことを特徴とする決済システム。
【請求項２】
オートチャージ方式又は後払い方式の決済方式を用いる決済システムであって、
前記決済システムは、交通機関の事業者が有する交通機関側システムと決済機関が有する決済機関側システムとからなり、
前記交通機関側システムは、
ＩＣカード又は利用者を識別するＩＣカード識別情報と前記ＩＣカードに対して充当した充当金額又は前記ＩＣカードを有する利用者の利用料金とを関連づけて記録している交通機関利用データベースと、
ＩＣカード識別情報と、ＩＣカード又は利用者に対して予め付与されている仮想ＩＤとを関連づけて記録している交通機関側仮想ＩＤデータベースと、
前記ＩＣカードに記録している情報の読み書きを行う読書装置と、
前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、
前記読書装置が前記ＩＣカードから読み取った前記ＩＣカード識別情報に関連づけられた仮想ＩＤを前記交通機関側仮想ＩＤデータベースより抽出し、前記抽出した仮想ＩＤと前記充当金額又は利用料金とを請求データとして記録媒体に記録する管理装置と、からなり、
前記決済機関側システムは、
ＩＣカード又は利用者に対して予め付与されている前記仮想ＩＤとクレジットカード番号とを関連づけて記録している決済機関側仮想ＩＤデータベースと、
前記クレジットカード番号と充当金額又は利用料金とを関連づけて記録しているクレジットカード利用データベースと、
前記記録媒体に記録された前記請求データを読み取り、前記請求データに於ける前記仮想ＩＤに関連づけられたクレジットカード番号を前記決済機関側仮想ＩＤデータベースから抽出し、前記抽出したクレジットカード番号と前記請求データに於ける充当金額又は利用料金とを、前記クレジットカード利用データベースに記録する料金請求装置と、からなる
ことを特徴とする決済システム。
【請求項３】
オートチャージ方式又は後払い方式の決済方式を用いる決済システムであって、
前記決済システムは、交通機関の事業者が有する交通機関側システムと決済機関が有する決済機関側システムと共同センターシステムとからなり、
前記交通機関側システムは、
ＩＣカード又は利用者を識別するＩＣカード識別情報と前記ＩＣカードに対して充当した充当金額又は前記ＩＣカードを有する利用者の利用料金とを関連づけて記録している交通機関利用データベースと、
前記ＩＣカードに記録している情報の読み書きを行う読書装置と、
前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、
前記読書装置が前記ＩＣカードから読み取った前記ＩＣカード識別情報を前記共同センターシステムに対して送信することで前記ＩＣカード識別情報に関連づけられた仮想ＩＤの問い合わせを行い、前記仮想ＩＤを前記共同センターシステムから受信し、前記受信した仮想ＩＤと前記充当金額又は利用料金とを請求データとして前記決済機関側システムに送信する管理装置と、からなり、
前記決済機関側システムは、
ＩＣカード又は利用者に対して予め付与されている前記仮想ＩＤとクレジットカード番号とを関連づけて記録している決済機関側仮想ＩＤデータベースと、
前記クレジットカード番号と充当金額又は利用料金とを関連づけて記録しているクレジットカード利用データベースと、
前記交通機関側システムから前記請求データを受信し、前記請求データに於ける前記仮想ＩＤに関連づけられたクレジットカード番号を前記決済機関側仮想ＩＤデータベースから抽出し、前記抽出したクレジットカード番号と前記請求データに於ける充当金額又は利用料金とを、前記クレジットカード利用データベースに記録する料金請求装置と、からなり、
前記共同センターシステムは、
前記ＩＣカード識別情報と前記仮想ＩＤとを関連づけて記録している共同センター仮想ＩＤデータベースとを有しており、
前記交通機関側システムから前記ＩＣカード識別情報を受信すると、前記ＩＣカード識別情報に関連づけられた仮想ＩＤを前記共同センター仮想ＩＤデータベースから抽出し、前記抽出した仮想ＩＤを前記交通機関側システムに送信する装置である、
ことを特徴とする決済システム。
【請求項４】
オートチャージ方式又は後払い方式の決済方式を用いる決済システムであって、
前記決済システムは、交通機関の事業者が有する交通機関側システムと決済機関が有する決済機関側システムと共同センターシステムとからなり、
前記交通機関側システムは、
ＩＣカード又は利用者を識別するＩＣカード識別情報と前記ＩＣカードに対して充当した充当金額又は前記ＩＣカードを有する利用者の利用料金とを関連づけて記録している交通機関利用データベースと、
前記ＩＣカードに記録している情報の読み書きを行う読書装置と、
前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、
前記読書装置が前記ＩＣカードから読み取った前記ＩＣカード識別情報を前記共同センターシステムに対して送信することで前記ＩＣカード識別情報に関連づけられた仮想ＩＤの問い合わせを行い、前記仮想ＩＤを前記共同センターシステムから受信し、前記受信した仮想ＩＤと前記充当金額又は利用料金とを請求データとして記録媒体に記録する管理装置と、からなり、
前記決済機関側システムは、
ＩＣカード又は利用者に対して予め付与されている前記仮想ＩＤとクレジットカード番号とを関連づけて記録している決済機関側仮想ＩＤデータベースと、
前記クレジットカード番号と充当金額又は利用料金とを関連づけて記録しているクレジットカード利用データベースと、
前記記録媒体に記録された前記請求データを読み取り、前記請求データに於ける前記仮想ＩＤに関連づけられたクレジットカード番号を前記決済機関側仮想ＩＤデータベースから抽出し、前記抽出したクレジットカード番号と前記請求データに於ける充当金額又は利用料金とを、前記クレジットカード利用データベースに記録する料金請求装置と、からなり、
前記共同センターシステムは、
前記ＩＣカード識別情報と前記仮想ＩＤとを関連づけて記録している共同センター仮想ＩＤデータベースとを有しており、
前記交通機関側システムから前記ＩＣカード識別情報を受信すると、前記ＩＣカード識別情報に関連づけられた仮想ＩＤを前記共同センター仮想ＩＤデータベースから抽出し、前記抽出した仮想ＩＤを前記交通機関側システムに送信する装置である、
ことを特徴とする決済システム。
【請求項５】
オートチャージ方式又は後払い方式の決済方式を用いる決済システムであって、
前記決済システムは、交通機関の事業者が有する交通機関側システムと決済機関が有する決済機関側システムと共同センターシステムとからなり、
前記交通機関側システムは、
ＩＣカード又は利用者を識別するＩＣカード識別情報と前記ＩＣカードに対して充当した充当金額又は前記ＩＣカードを有する利用者の利用料金とを関連づけて記録している交通機関利用データベースと、
前記ＩＣカードに記録している情報の読み書きを行う読書装置と、
前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、
前記読書装置が前記ＩＣカードから読み取った前記ＩＣカード識別情報を前記共同センターシステムに対して送信することで前記ＩＣカード識別情報に関連づけられた仮想ＩＤの問い合わせを行い、前記仮想ＩＤを前記共同センターシステムから受信し、前記受信した仮想ＩＤと前記充当金額又は利用料金とを請求データとして前記決済機関側システムに送信する管理装置と、からなり、
前記決済機関側システムは、
前記利用者のクレジットカード番号と充当金額又は利用料金とを関連づけて記録しているクレジットカード利用データベースと、
前記交通機関側システムから前記請求データを受信し、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける充当金額又は利用料金とを、前記クレジットカード利用データベースに記録する料金請求装置と、からなり、
前記共同センターシステムは、
前記ＩＣカード識別情報と前記ＩＣカード又は利用者に対して予め付与されている仮想ＩＤと前記利用者のクレジットカード番号とを関連づけて記録している統合仮想ＩＤデータベースとを有しており、
前記交通機関側システムから前記ＩＣカード識別情報を受信すると、前記ＩＣカード識別情報に関連づけられた仮想ＩＤを前記統合仮想ＩＤデータベースから抽出し、前記抽出した仮想ＩＤを前記交通機関側システムに送信し、
前記決済機関側システムから前記仮想ＩＤを受信すると、前記仮想ＩＤに関連づけられたクレジットカード番号を前記統合仮想ＩＤデータベースから抽出し、前記抽出したクレジットカード番号を前記決済機関側システムに送信する装置である、
ことを特徴とする決済システム。
【請求項６】
オートチャージ方式又は後払い方式の決済方式を用いる決済システムであって、
前記決済システムは、交通機関の事業者が有する交通機関側システムと決済機関が有する決済機関側システムと共同センターシステムとからなり、
前記交通機関側システムは、
ＩＣカード又は利用者を識別するＩＣカード識別情報と前記ＩＣカードに対して充当した充当金額又は前記ＩＣカードを有する利用者の利用料金とを関連づけて記録している交通機関利用データベースと、
前記ＩＣカードに記録している情報の読み書きを行う読書装置と、
前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、
前記読書装置が前記ＩＣカードから読み取った前記ＩＣカード識別情報を前記共同センターシステムに対して送信することで前記ＩＣカード識別情報に関連づけられた仮想ＩＤの問い合わせを行い、前記仮想ＩＤを前記共同センターシステムから受信し、前記受信した仮想ＩＤと前記充当金額又は利用料金とを請求データとして記録媒体に記録する管理装置と、からなり、
前記決済機関側システムは、
前記利用者のクレジットカード番号と充当金額又は利用料金とを関連づけて記録しているクレジットカード利用データベースと、
前記記録媒体に記録された前記請求データを読み取り、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける充当金額又は利用料金とを、前記クレジットカード利用データベースに記録する料金請求装置と、からなり、
前記共同センターシステムは、
前記ＩＣカード識別情報と前記ＩＣカード又は利用者に対して予め付与されている仮想ＩＤと前記利用者のクレジットカード番号とを関連づけて記録している統合仮想ＩＤデータベースを有しており、
前記交通機関側システムから前記ＩＣカード識別情報を受信すると、前記ＩＣカード識別情報に関連づけられた仮想ＩＤを前記統合仮想ＩＤデータベースから抽出し、前記抽出した仮想ＩＤを前記交通機関側システムに送信し、
前記決済機関側システムから前記仮想ＩＤを受信すると、前記仮想ＩＤに関連づけられたクレジットカード番号を前記統合仮想ＩＤデータベースから抽出し、前記抽出したクレジットカード番号を前記決済機関側システムに送信する装置である、
ことを特徴とする決済システム。
【請求項７】
利用者に対してサービスを提供する事業者の前記利用者に対するクレジットカードによる決済を行う決済システムであって、前記決済システムは、事業者が有する事業者システムと決済機関が有する決済機関側システムと共同センターシステムとからなり、
前記事業者システムは、
利用者を識別する利用者識別情報と前記利用者の利用した利用料金とを関連づけて記録している事業者売上データベースと、
前記事業者売上データベースに記録している利用者識別情報と利用料金とを抽出し、前記抽出した利用者識別情報を前記共同センターシステムに対して送信することで前記利用者識別情報に関連づけられた仮想ＩＤの問い合わせを行い、前記仮想ＩＤを前記共同センターシステムから受信し、前記受信した仮想ＩＤと前記利用料金とを請求データとして前記決済機関側システムに送信する売上管理装置と、からなり、前記決済機関側システムは、
前記利用者に対して予め付与されている前記仮想ＩＤとクレジットカード番号とを関連づけて記録している決済機関側仮想ＩＤデータベースと、
前記クレジットカード番号と利用料金とを関連づけて記録しているクレジットカード利用データベースと、
前記事業者システムから前記請求データを受信し、前記請求データに於ける前記仮想ＩＤに関連づけられたクレジットカード番号を前記決済機関側仮想ＩＤデータベースから抽出し、前記抽出したクレジットカード番号と前記請求データに於ける利用料金とを、前記クレジットカード利用データベースに記録する料金請求装置と、からなり、前記共同センターシステムは、
前記利用者識別情報と前記仮想ＩＤとを関連づけて記録している事業者仮想ＩＤデータベースを有しており、
前記事業者システムから前記利用者識別情報を受信すると、前記利用者識別情報に関連づけられた仮想ＩＤを前記事業者仮想ＩＤデータベースから抽出し、前記抽出した仮想ＩＤを前記事業者システムに送信する装置である、
ことを特徴とする決済システム。
【請求項８】
利用者に対してサービスを提供する事業者の前記利用者に対するクレジットカードによる決済を行う決済システムであって、前記決済システムは、事業者が有する事業者システムと決済機関が有する決済機関側システムと共同センターシステムとからなり、
前記事業者システムは、
利用者を識別する利用者識別情報と前記利用者の利用した利用料金とを関連づけて記録している事業者売上データベースと、
前記事業者売上データベースに記録している利用者識別情報と利用料金とを抽出し、前記抽出した利用者識別情報を前記共同センターシステムに対して送信することで前記利用者識別情報に関連づけられた仮想ＩＤの問い合わせを行い、前記仮想ＩＤを前記共同センターシステムから受信し、前記受信した仮想ＩＤと前記利用料金とを請求データとして記録媒体に記録する売上管理装置と、からなり、
前記決済機関側システムは、
前記利用者に対して予め付与されている前記仮想ＩＤとクレジットカード番号とを関連づけて記録している決済機関側仮想ＩＤデータベースと、
前記クレジットカード番号と利用料金とを関連づけて記録しているクレジットカード利用データベースと、
前記記録媒体に記録された前記請求データを読み取り、前記請求データに於ける前記仮想ＩＤに関連づけられたクレジットカード番号を前記決済機関側仮想ＩＤデータベースから抽出し、前記抽出したクレジットカード番号と前記請求データに於ける利用料金とを、前記クレジットカード利用データベースに記録する料金請求装置と、からなり、
前記共同センターシステムは、
前記利用者識別情報と前記仮想ＩＤとを関連づけて記録している事業者仮想ＩＤデータベースを有しており、
前記事業者システムから前記利用者識別情報を受信すると、前記利用者識別情報に関連づけられた仮想ＩＤを前記事業者仮想ＩＤデータベースから抽出し、前記抽出した仮想ＩＤを前記事業者システムに送信する装置である、
ことを特徴とする決済システム。
【請求項９】
利用者に対してサービスを提供する事業者の前記利用者に対するクレジットカードによる決済を行う決済システムであって、前記決済システムは、事業者が有する事業者システムと決済機関が有する決済機関側システムと共同センターシステムとからなり、
前記事業者システムは、
利用者を識別する利用者識別情報と前記利用者の利用した利用料金とを関連づけて記録している事業者売上データベースと、
前記事業者売上データベースに記録している利用者識別情報と利用料金とを抽出し、前記抽出した利用者識別情報を前記共同センターシステムに対して送信することで前記利用者識別情報に関連づけられた仮想ＩＤの問い合わせを行い、前記仮想ＩＤを前記共同センターシステムから受信し、前記受信した仮想ＩＤと前記利用料金とを請求データとして前記決済機関側システムに送信する売上管理装置と、からなり、前記決済機関側システムは、
前記利用者のクレジットカード番号と利用料金とを関連づけて記録しているクレジットカード利用データベースと、
前記事業者システムから前記請求データを受信し、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける利用料金とを、前記クレジットカード利用データベースに記録する料金請求装置と、からなり、
前記共同センターシステムは、
前記利用者識別情報と前記仮想ＩＤと前記利用者のクレジットカード番号とを関連づけて記録している事業者統合仮想ＩＤデータベースを有しており、
前記事業者システムから前記利用者識別情報を受信すると、前記利用者識別情報に関連づけられた仮想ＩＤを前記事業者統合仮想ＩＤデータベースから抽出し、前記抽出した仮想ＩＤを前記事業者システムに送信し、
前記決済機関側システムから前記仮想ＩＤを受信すると、前記仮想ＩＤに関連づけられたクレジットカード番号を前記事業者統合仮想ＩＤデータベースから抽出し、前記抽出したクレジットカード番号を前記決済機関側システムに送信する装置である、
ことを特徴とする決済システム。
【請求項１０】
利用者に対してサービスを提供する事業者の前記利用者に対するクレジットカードによる決済を行う決済システムであって、前記決済システムは、事業者が有する事業者システムと決済機関が有する決済機関側システムと共同センターシステムとからなり、
前記事業者システムは、
利用者を識別する利用者識別情報と前記利用者の利用した利用料金とを関連づけて記録している事業者売上データベースと、
前記事業者売上データベースに記録している利用者識別情報と利用料金とを抽出し、前記抽出した利用者識別情報を前記共同センターシステムに対して送信することで前記利用者識別情報に関連づけられた仮想ＩＤの問い合わせを行い、前記仮想ＩＤを前記共同センターシステムから受信し、前記受信した仮想ＩＤと前記利用料金とを請求データとして記録媒体に記録する売上管理装置と、からなり、
前記決済機関側システムは、
前記利用者のクレジットカード番号と利用料金とを関連づけて記録しているクレジットカード利用データベースと、
前記事業者システムで前記記録媒体に記録した前記請求データを受信し、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける利用料金とを、前記クレジットカード利用データベースに記録する料金請求装置と、からなり、
前記共同センターシステムは、
前記利用者識別情報と前記仮想ＩＤと前記利用者のクレジットカード番号とを関連づけて記録している事業者統合仮想ＩＤデータベースを有しており、
前記事業者システムから前記利用者識別情報を受信すると、前記利用者識別情報に関連づけられた仮想ＩＤを前記事業者統合仮想ＩＤデータベースから抽出し、前記抽出した仮想ＩＤを前記事業者システムに送信し、
前記決済機関側システムから前記仮想ＩＤを受信すると、前記仮想ＩＤに関連づけられたクレジットカード番号を前記事業者統合仮想ＩＤデータベースから抽出し、前記抽出したクレジットカード番号を前記決済機関側システムに送信する装置である、
ことを特徴とする決済システム。
【請求項１１】
前記決済機関側仮想ＩＤデータベース、前記統合仮想ＩＤデータベース、又は前記事業者統合仮想ＩＤデータベースに記録している前記クレジットカード番号は、少なくとも一以上の仮想ＩＤと関連づけて記録している
ことを特徴とする請求の範囲１から請求の範囲１０のいずれかに記載の決済システム。
【請求項１２】
前記仮想ＩＤは、前記決済システムに於いて前記利用者毎に共通であることを特徴とする請求の範囲１から請求の範囲１１のいずれかに記載の決済システム。
【請求項１３】
前記交通機関は鉄道であり、前記読書装置は駅の改札口に設置されている自動改札機であり、前記制御装置は一以上の前記自動改札機を制御する改札制御装置である、
ことを特徴とする請求の範囲１から請求の範囲６、請求の範囲１１又は請求の範囲１２のいずれかに記載の決済システム。
【請求項１４】
前記交通機関側システムは、
前記ＩＣカードにＩＣカード利用限度枠を書き込む利用限度枠設定装置を、更に有しており、
前記共同センターシステムの前記共同センター仮想ＩＤデータベース又は前記統合仮想ＩＤデータベースは、更に仮想ＩＤ利用限度枠と付与済み利用限度枠とを関連づけて記録しており、
前記利用限度枠設定装置は、
前記ＩＣカードに付与を希望するＩＣカード利用限度枠の入力を受け付けると共に前記ＩＣカード識別情報を読み取り、前記共同センターシステムに対してその利用限度枠の設定が可能かの問い合わせを前記ＩＣカード識別情報と共に送信し、前記共同センターシステムから設定可能の通知を受信後、前記ＩＣカードに前記入力を受け付けたＩＣカード利用限度枠を記録し、前記共同センターシステムに対して前記記録したＩＣカード利用限度枠を送信する装置であり、
前記共同センターシステムは、
前記利用限度枠設定装置から受信した前記問い合わせと前記ＩＣカード識別情報に基づいて、前記共同センター仮想ＩＤデータベース又は前記統合仮想ＩＤデータベースから、前記ＩＣカード識別情報に関連づけられた仮想ＩＤに対する前記仮想ＩＤ利用限度枠と前記付与済み利用限度枠とを抽出し、前記付与済み利用限度枠と前記利用限度枠設定装置で入力を受け付けた前記希望するＩＣカード利用限度枠とを加算し、その合計が前記抽出した仮想ＩＤ利用限度枠以下であれば前記利用限度枠設定装置に対して設定可能の通知を送信し、前記利用限度枠設定装置から前記記録したＩＣカード利用限度枠を受信後、前記ＩＣカード識別情報に関連づけられた仮想ＩＤに対する前記付与済み利用限度枠にそれを加算して新たな付与済み利用限度枠として更新する、
ことを特徴とする請求の範囲３から請求の範囲６のいずれかに記載の決済システム。
【請求項１５】
前記共同センターシステムの前記共同センター仮想ＩＤデータベース又は前記統合仮想ＩＤデータベースは、更に仮想ＩＤ利用限度枠を関連づけて記録しており、
前記交通機関側システムは、
前記ＩＣカード識別情報に対応する仮想ＩＤの問い合わせを送信する際に、前記ＩＣカードの充当金額又は利用料金を併せて送信し、
前記共同センターシステムは、
前記問い合わせに於けるＩＣカード識別情報に基づいて前記共同センター仮想ＩＤデータベース前記統合仮想ＩＤデータベースから前記仮想ＩＤと仮想ＩＤ利用限度枠を抽出し、前記抽出した仮想ＩＤに関連づけられたＩＣカード識別情報の充当金額又は利用料金の合計を算出し、それが前記仮想ＩＤ利用限度枠以下であれば、前記交通機関側システムに対して前記抽出した仮想ＩＤを送信し、前記算出した合計が前記仮想ＩＤ利用限度枠より大きければ前記仮想ＩＤに関連づけられたＩＣカード識別情報をネガデータとして作成し、前記交通機関側システムに対して前記抽出した仮想ＩＤと前記ネガデータとを送信する、
ことを特徴とする請求の範囲３から請求の範囲６のいずれかに記載の決済システム。
【請求項１６】
前記共同センターシステムの前記事業者仮想ＩＤデータベース又は前記事業者統合仮想ＩＤデータベースは、更に仮想ＩＤ利用限度枠を関連づけて記録しており、
前記前記事業者システムは、
前記利用者識別情報に対応する仮想ＩＤの問い合わせを送信する際に、前記利用者の利用した利用料金を併せて送信し、
前記共同センターシステムは、
前記問い合わせに於ける利用者識別情報に基づいて前記事業者仮想ＩＤデータベース又は前記事業者統合仮想ＩＤデータベースから前記仮想ＩＤと仮想ＩＤ利用限度枠を抽出し、前記抽出した仮想ＩＤに関連づけられた利用者識別情報の、前記利用者の利用した利用料金の合計を算出し、それが前記仮想ＩＤ利用限度枠以下であれば、前記事業者システムに対して前記抽出した仮想ＩＤを送信し、前記算出した合計が前記仮想ＩＤ利用限度枠より大きければ前記仮想ＩＤに関連づけられた利用者識別情報をネガデータとして作成し、前記事業者システムに対して前記抽出した仮想ＩＤと前記ネガデータとを送信する、
ことを特徴とする請求の範囲７から請求の範囲１０のいずれかに記載の決済システム。
【請求項１７】
オートチャージ方式又は後払い方式の決済方式を用いる決済システムに於ける決済機関が有する決済機関側システムであって、
前記決済機関側システムは、
ＩＣカード又は利用者に対して予め付与されている仮想ＩＤと前記利用者のクレジットカード番号とを関連づけて記録している決済機関側仮想ＩＤデータベースと、
前記クレジットカード番号と充当金額又は利用料金とを関連づけて記録しているクレジットカード利用データベースと、
利用者がＩＣカードを用いて利用を行う交通機関の事業者が有する交通機関側システムから前記オートチャージ方式又は後払い方式の請求データを受信し、前記請求データに於ける前記仮想ＩＤに関連づけられたクレジットカード番号を前記決済機関側仮想ＩＤデータベースから抽出し、前記抽出したクレジットカード番号と前記請求データに於ける充当金額又は利用料金とを、前記クレジットカード利用データベースに記録する料金請求装置と、からなる
ことを特徴とする決済機関側システム。
【請求項１８】
オートチャージ方式又は後払い方式の決済方式を用いる決済システムに於ける決済機関が有する決済機関側システムであって、
前記決済機関側システムは、
ＩＣカード又は利用者に対して予め付与されている仮想ＩＤと前記利用者のクレジットカード番号とを関連づけて記録している決済機関側仮想ＩＤデータベースと、
前記クレジットカード番号と充当金額又は利用料金とを関連づけて記録しているクレジットカード利用データベースと、
利用者がＩＣカードを用いて利用を行う交通機関の事業者が有する交通機関側システムで記録媒体に記録された前記オートチャージ方式又は後払い方式の請求データを読み取り、前記請求データに於ける前記仮想ＩＤに関連づけられたクレジットカード番号を前記決済機関側仮想ＩＤデータベースから抽出し、前記抽出したクレジットカード番号と前記請求データに於ける充当金額又は利用料金とを、前記クレジットカード利用データベースに記録する料金請求装置と、からなる
ことを特徴とする決済機関側システム。
【請求項１９】
オートチャージ方式又は後払い方式の決済方式を用いる決済システムに於ける決済機関が有する決済機関側システムであり、
前記決済機関側システムは、
ＩＣカード又は利用者を識別するＩＣカード識別情報と前記ＩＣカード又は利用者に対して予め付与されている仮想ＩＤと前記利用者のクレジットカード番号とを関連づけて記録している統合仮想ＩＤデータベースを有する共同センターシステムとの間でデータの送受信が可能であって、
前記クレジットカード番号と充当金額又は利用料金とを関連づけて記録しているクレジットカード利用データベースと、
前記利用者がＩＣカードを用いて利用を行う交通機関の事業者が有する交通機関側システムから前記オートチャージ方式又は後払い方式の請求データを受信し、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける充当金額又は利用料金とを、前記クレジットカード利用データベースに記録する料金請求装置と、からなる
ことを特徴とする決済機関側システム。
【請求項２０】
オートチャージ方式又は後払い方式の決済方式を用いる決済システムに於ける決済機関が有する決済機関側システムであり、
前記決済機関側システムは、
ＩＣカード又は利用者を識別するＩＣカード識別情報と前記ＩＣカード又は利用者に対して予め付与されている仮想ＩＤと前記利用者のクレジットカード番号とを関連づけて記録している共同センター仮想ＩＤデータベースを有する共同センターシステムとの間でデータの送受信が可能であって、
前記クレジットカード番号と充当金額又は利用料金とを関連づけて記録しているクレジットカード利用データベースと、
前記利用者がＩＣカードを用いて利用を行う交通機関の事業者が有する交通機関側システムで記録媒体に記録された前記オートチャージ方式又は後払い方式の請求データを読み取り、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける充当金額又は利用料金とを、前記クレジットカード利用データベースに記録する料金請求装置と、からなる
ことを特徴とする決済機関側システム。
【請求項２１】
利用者に対してサービスを提供する事業者の前記利用者に対するクレジットカードによる決済を行う決済システムに於ける決済機関が有する決済機関側システムであり、
前記決済機関側システムは、
前記利用者を識別する利用者識別情報と前記利用者に対して予め付与されている仮想ＩＤと前記利用者のクレジットカード番号とを関連づけて記録している事業者統合仮想ＩＤデータベースを有する共同センターシステムとの間でデータの送受信が可能であって、
前記クレジットカード番号と利用料金とを関連づけて記録しているクレジットカード利用データベースと、
前記事業者が有する事業者システムから請求データを受信し、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける利用料金とを、前記クレジットカード利用データベースに記録する料金請求装置と、からなる
ことを特徴とする決済機関側システム。
【請求項２２】
利用者に対してサービスを提供する事業者の前記利用者に対するクレジットカードによる決済を行う決済システムに於ける決済機関が有する決済機関側システムであり、
前記決済機関側システムは、
前記利用者を識別する利用者識別情報と前記利用者に対して予め付与されている仮想ＩＤと前記利用者のクレジットカード番号とを関連づけて記録している事業者統合仮想ＩＤデータベースを有する共同センターシステムとの間でデータの送受信が可能であって、
前記クレジットカード番号と利用料金とを関連づけて記録しているクレジットカード利用データベースと、
前記事業者が有する事業者システムで記録媒体に記録された請求データを読み取り、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける利用料金とを、前記クレジットカード利用データベースに記録する料金請求装置と、からなる
ことを特徴とする決済機関側システム。
【請求項２３】
オートチャージ方式又は後払い方式の決済方式を用いる決済システムに於ける交通機関の事業者が有する交通機関側システムであって、
前記交通機関側システムは、
ＩＣカード又は利用者を識別するＩＣカード識別情報と前記ＩＣカードに対して充当した充当金額又は前記ＩＣカードを有する利用者の利用料金とを関連づけて記録している交通機関利用データベースと、
ＩＣカード識別情報と、ＩＣカード又は利用者に対して予め付与されている仮想ＩＤとを関連づけて記録している交通機関側仮想ＩＤデータベースと、
前記ＩＣカードに記録している情報の読み書きを行う読書装置と、
前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、
前記読書装置が前記ＩＣカードから読み取った前記ＩＣカード識別情報に関連づけられた仮想ＩＤを前記交通機関側仮想ＩＤデータベースより抽出し、前記抽出した仮想ＩＤと前記充当金額又は利用料金とを請求データとして、前記交通機関の充当金額又は利用料金の決済を行う決済機関が有する決済機関側システムに送信する管理装置と、
を有することを特徴とする交通機関側システム。
【請求項２４】
オートチャージ方式又は後払い方式の決済方式を用いる決済システムに於ける交通機関の事業者が有する交通機関側システムであって、
前記交通機関側システムは、
ＩＣカード又は利用者を識別するＩＣカード識別情報と前記ＩＣカードに対して充当した当金額又は前記ＩＣカードを有する利用者の利用料金とを関連づけて記録している交通機関利用データベースと、
ＩＣカード識別情報と、ＩＣカード又は利用者に対して予め付与されている仮想ＩＤとを関連づけて記録している交通機関側仮想ＩＤデータベースと、
前記ＩＣカードに記録している情報の読み書きを行う読書装置と、
前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、
前記読書装置が前記ＩＣカードから読み取った前記ＩＣカード識別情報に関連づけられた仮想ＩＤを前記交通機関側仮想ＩＤデータベースより抽出し、前記抽出した仮想ＩＤと前記充当金額又は利用料金とを請求データとして記録媒体に記録する管理装置と、
を有することを特徴とする交通機関側システム。
【請求項２５】
オートチャージ方式又は後払い方式の決済方式を用いる決済システムに於ける交通機関の事業者が有する交通機関側システムであって、
前記交通機関側システムは、
ＩＣカード又は利用者を識別するＩＣカード識別情報と前記ＩＣカード又は利用者に対して予め付与されている仮想ＩＤとを関連づけて記録している共同センター仮想ＩＤデータベースを有する共同センターシステムとの間でデータの送受信が可能であって、前記ＩＣカード識別情報と前記ＩＣカードに対して充当した充当金額又は前記ＩＣカードを有する利用者の利用料金とを関連づけて記録している交通機関利用データベースと、
前記ＩＣカードに記録している情報の読み書きを行う読書装置と、
前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、
前記読書装置が前記ＩＣカードから読み取った前記ＩＣカード識別情報を前記共同センターシステムに送信することで前記ＩＣカード識別情報に関連づけられた仮想ＩＤの問い合わせを行い、前記仮想ＩＤを前記共同センターシステムから受信し、前記受信した仮想ＩＤと前記充当金額又は利用料金とを請求データとして、前記交通機関の充当金額又は利用料金の決済を行う決済機関が有する決済機関側システムに送信する管理装置と、
を有することを特徴とする交通機関側システム。
【請求項２６】
オートチャージ方式又は後払い方式の決済方式を用いる決済システムに於ける交通機関の事業者が有する交通機関側システムであって、
前記交通機関側システムは、
ＩＣカード又は利用者を識別するＩＣカード識別情報と前記ＩＣカード又は利用者に対して予め付与されている仮想ＩＤとを関連づけて記録している共同センター仮想ＩＤデータベースを有する共同センターシステムとの間でデータの送受信が可能であって、前記ＩＣカード識別情報と前記ＩＣカードに対して充当した充当金額又は前記ＩＣカードを有する利用者の利用料金とを関連づけて記録している交通機関利用データベースと、
前記ＩＣカードに記録している情報の読み書きを行う読書装置と、
前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、
前記読書装置が前記ＩＣカードから読み取った前記ＩＣカード識別情報を前記共同センターシステムに送信することで前記ＩＣカード識別情報に関連づけられた仮想ＩＤの問い合わせを行い、前記仮想ＩＤを前記共同センターシステムから受信し、前記受信した仮想ＩＤと前記充当金額又は利用料金とを請求データとして記録媒体に記録する管理装置と、
を有することを特徴とする交通機関側システム。
【請求項２７】
前記交通機関側システムは、
前記ＩＣカードにＩＣカード利用限度枠を書き込む利用限度枠設定装置を、更に有しており、
前記利用限度枠設定装置は、
前記ＩＣカードに付与を希望するＩＣカード利用限度枠の入力を受け付けると共に前記ＩＣカード識別情報を読み取り、前記共同センターシステムに対してその利用限度枠の設定が可能かの問い合わせを前記ＩＣカード識別情報と共に送信し、前記共同センターシステムから設定可能の通知を受信後、前記ＩＣカードに前記入力を受け付けたＩＣカード利用限度枠を記録し、前記共同センターシステムに対して前記記録したＩＣカード利用限度枠を送信する装置である、
ことを特徴とする請求の範囲２５又は請求の範囲２６に記載の交通機関側システム。
【請求項２８】
前記共同センターシステムの前記共同センター仮想ＩＤデータベース又は前記統合仮想ＩＤデータベースは、更に仮想ＩＤ利用限度枠を関連づけて記録しており、
前記交通機関側システムは、
前記ＩＣカード識別情報に対応する仮想ＩＤの問い合わせを送信する際に、前記ＩＣカードの充当金額又は利用料金を併せて送信し、前記共同センターシステムからネガデータを受信した場合には、前記ＩＣカードから読み取った前記ＩＣカード識別情報と前記ネガデータとを比較し、前記ＩＣカード識別情報が含まれている場合には、そのＩＣカードの利用者による利用を拒否する、
ことを特徴とする請求の範囲２５又は請求の範囲２６に記載の交通機関側システム。
【請求項２９】
オートチャージ方式又は後払い方式の決済方式を用いる決済システムに於ける共同センターシステムであって、
前記共同センターシステムは、
交通機関の事業者が有する交通機関側システムとの間でデータの送受信が可能であり、
ＩＣカード又は利用者を識別するＩＣカード識別情報と前記ＩＣカード又は利用者に対して予め付与されている仮想ＩＤとを関連づけて記録している共同センター仮想ＩＤデータベースを有しており、
前記交通機関側システムが読み取った前記ＩＣカード識別情報を受信すると、前記ＩＣカード識別情報に関連づけられた仮想ＩＤを前記共同センター仮想ＩＤデータベースから抽出し、前記抽出した仮想ＩＤを前記交通機関側システムに送信する装置である、
ことを特徴とする共同センターシステム。
【請求項３０】
オートチャージ方式又は後払い方式の決済方式を用いる決済システムに於ける共同センターシステムであって、
前記共同センターシステムは、
交通機関の事業者が有する交通機関側システムと前記決済を行う決済事業者が有する決済機関側システムとの間でデータの送受信が可能であり、
ＩＣカード又は利用者を識別するＩＣカード識別情報と前記ＩＣカード又は利用者に対して予め付与されている仮想ＩＤと前記利用者のクレジットカード番号とを関連づけて記録している統合仮想ＩＤデータベースを有しており、
前記交通機関側システムが読み取った前記ＩＣカード識別情報を受信すると、前記ＩＣカード識別情報に関連づけられた仮想ＩＤを前記統合仮想ＩＤデータベースから抽出し、前記抽出した仮想ＩＤを前記交通機関側システムに送信し、
前記決済機関側システムから前記仮想ＩＤを受信すると、前記仮想ＩＤに関連づけられたクレジットカード番号を前記統合仮想ＩＤデータベースから抽出し、前記抽出したクレジットカード番号を前記決済機関側システムに送信する装置である、
ことを特徴とする共同センターシステム。
【請求項３１】
前記共同センターシステムの前記共同センター仮想ＩＤデータベース又は前記統合仮想ＩＤデータベースは、更に仮想ＩＤ利用限度枠と付与済み利用限度枠とを関連づけて記録しており、
前記交通機関側システムから受信した前記ＩＣカードに対して付与を希望するＩＣカード利用限度枠設定可能か否かの問い合わせと前記交通機関側システムで読み取ったＩＣカード識別情報とに基づいて、前記共同センター仮想ＩＤデータベース又は前記統合仮想ＩＤデータベースから、前記ＩＣカード識別情報に関連づけられた仮想ＩＤに対する前記仮想ＩＤ利用限度枠と前記付与済み利用限度枠とを抽出し、前記付与済み利用限度枠と前記利用限度枠設定装置で入力を受け付けた前記希望するＩＣカード利用限度枠とを加算し、その合計が前記抽出した仮想ＩＤ利用限度枠以下であれば前記交通機関側システムに対して設定可能の通知を送信し、前記交通機関側システムから前記ＩＣカードに記録したＩＣカード利用限度枠を受信後、前記ＩＣカード識別情報に関連づけられた仮想ＩＤに対する前記付与済み利用限度枠にそれを加算して新たな付与済み利用限度枠として更新する、
ことを特徴とする請求の範囲２９又は請求の範囲３０に記載の共同センターシステム。
【請求項３２】
前記共同センターシステムの前記共同センター仮想ＩＤデータベース又は前記統合仮想ＩＤデータベースは、更に仮想ＩＤ利用限度枠を関連づけて記録しており、
前記共同センターシステムは、
前記交通機関側システムから前記ＩＣカード識別情報に対応する仮想ＩＤの問い合わせを受信する際に、前記ＩＣカードの充当金額又は利用料金を併せて受信し、
前記問い合わせに於けるＩＣカード識別情報に基づいて前記共同センター仮想ＩＤデータベース前記統合仮想ＩＤデータベースから前記仮想ＩＤと仮想ＩＤ利用限度枠を抽出し、前記抽出した仮想ＩＤに関連づけられたＩＣカード識別情報の充当金額又は利用料金の合計を算出し、それが前記仮想ＩＤ利用限度枠以下であれば、前記交通機関側システムに対して前記抽出した仮想ＩＤを送信し、前記算出した合計が前記仮想ＩＤ利用限度枠より大きければ前記仮想ＩＤに関連づけられたＩＣカード識別情報をネガデータとして作成し、前記交通機関側システムに対して前記抽出した仮想ＩＤと前記ネガデータとを送信する、
ことを特徴とする請求の範囲２９又は請求の範囲３０に記載の共同センターシステム。
【請求項３３】
利用者に対してサービスを提供する事業者の前記利用者に対するクレジットカードによる決済を行う決済システムに於ける共同センターシステムであって、
前記共同センターシステムは、
事業者が有する事業者システムとの間でデータの送受信が可能であり、
利用者を識別する利用者識別情報と前記利用者に対して予め付与されている仮想ＩＤとを関連づけて記録している事業者仮想ＩＤデータベースを有しており、
前記事業者システムから前記利用者識別情報を受信すると、前記利用者識別情報に関連づけられた仮想ＩＤを前記事業者仮想ＩＤデータベースから抽出し、前記抽出した仮想ＩＤを前記事業者システムに送信する装置である、
ことを特徴とする共同センターシステム。
【請求項３４】
利用者に対してサービスを提供する事業者の前記利用者に対するクレジットカードによる決済を行う決済システムに於ける共同センターシステムであって、
前記共同センターシステムは、
事業者が有する事業者システムと決済を行う決済機関が有する決済機関側システムとの間でデータの送受信が可能であり、
利用者を識別する利用者識別情報と前記利用者に対して予め付与されている仮想ＩＤと前記利用者のクレジットカード番号とを関連づけて記録している事業者統合仮想ＩＤデータベースを有しており、
前記事業者システムから前記利用者識別情報を受信すると、前記利用者識別情報に関連づけられた仮想ＩＤを前記事業者統合仮想ＩＤデータベースから抽出し、前記抽出した仮想ＩＤを前記事業者システムに送信し、
前記決済機関側システムから前記仮想ＩＤを受信すると、前記仮想ＩＤに関連づけられたクレジットカード番号を前記事業者統合仮想ＩＤデータベースから抽出し、前記抽出したクレジットカード番号を前記決済機関側システムに送信する装置である、
ことを特徴とする共同センターシステム。
【請求項３５】
前記共同センターシステムの前記事業者仮想ＩＤデータベース又は前記事業者統合仮想ＩＤデータベースは、更に仮想ＩＤ利用限度枠を関連づけて記録しており、
前記共同センターシステムは、
前記事業者システムから前記利用者識別情報に対応する仮想ＩＤの問い合わせを受信する際に、前記利用者の利用した利用料金を併せて受信し、
前記問い合わせに於ける利用者識別情報に基づいて前記事業者仮想ＩＤデータベース又は前記事業者統合仮想ＩＤデータベースから前記仮想ＩＤと仮想ＩＤ利用限度枠を抽出し、前記抽出した仮想ＩＤに関連づけられた利用者識別情報の、前記利用者の利用した利用料金の合計を算出し、それが前記仮想ＩＤ利用限度枠以下であれば、前記事業者システムに対して前記抽出した仮想ＩＤを送信し、前記算出した合計が前記仮想ＩＤ利用限度枠より大きければ前記仮想ＩＤに関連づけられた利用者識別情報をネガデータとして作成し、前記事業者システムに対して前記抽出した仮想ＩＤと前記ネガデータとを送信する、
ことを特徴とする請求の範囲３３又は請求の範囲３４に記載の共同センターシステム。
【請求項３６】
ＩＣカードによってオートチャージ方式又は後払い方式で交通機関の料金決済を行う決済方法であり、前記交通機関の事業者が有する交通機関側システムと決済機関が有する決済機関側システムとの間でデータの送受信が可能であり、
前記交通機関側システムは、
前記交通機関の利用者のＩＣカードを接触又は非接触によって、前記ＩＣカードに記録しているＩＣカード識別情報を前記交通機関側システムの読書装置が読み取り、
前記読書装置は前記利用者の利用料金を算出し、
前記ＩＣカード識別情報に基づいて前記利用者に対して前記オートチャージ方式又は前記後払い方式で前記読書装置の処理を行い、
前記読書装置から前記ＩＣカード識別情報と充当金額又は利用料金とを制御装置が受信し、
前記ＩＣカード識別情報に関連づけられた仮想ＩＤを交通機関側仮想ＩＤデータベースから抽出し、
前記抽出した仮想ＩＤと前記充当金額又は利用料金を請求データとして前記決済機関側システムに送信し、
前記決済機関側システムは、
前記受信した請求データに於ける仮想ＩＤに関連づけられたクレジットカード番号を決済機関側仮想ＩＤデータベースから抽出し、
前記抽出したクレジットカード番号と前記請求データに於ける充当金額又は利用料金とをクレジットカード利用データベースに記録する、
ことを特徴とする決済方法。
【請求項３７】
ＩＣカードによってオートチャージ方式又は後払い方式で交通機関の料金決済を行う決済方法であり、前記交通機関の事業者が有する交通機関側システムと決済機関が有する決済機関側システムとの間でデータの送受信が可能であり、
前記交通機関側システムは、
前記交通機関の利用者のＩＣカードを接触又は非接触によって、前記ＩＣカードに記録しているＩＣカード識別情報を前記交通機関側システムの読書装置が読み取り、
前記読書装置は前記利用者の利用料金を算出し、
前記ＩＣカード識別情報に基づいて前記利用者に対して前記オートチャージ方式又は前記後払い方式で前記読書装置の処理を行い、
前記読書装置から前記ＩＣカード識別情報と充当金額又は利用料金とを制御装置が受信し、
前記ＩＣカード識別情報に関連づけられた仮想ＩＤを交通機関側仮想ＩＤデータベースから抽出し、
前記抽出した仮想ＩＤと前記充当金額又は利用料金を請求データとして記録媒体に記録し、
前記決済機関側システムは、
前記記録媒体に記録された請求データを読み取ることで、前記請求データに於ける仮想ＩＤに関連づけられたクレジットカード番号を決済機関側仮想ＩＤデータベースから抽出し、
前記抽出したクレジットカード番号と前記請求データに於ける充当金額又は利用料金とをクレジットカード利用データベースに記録する、
ことを特徴とする決済方法。
【請求項３８】
ＩＣカードによってオートチャージ方式又は後払い方式で交通機関の料金決済を行う決済方法であり、前記交通機関の事業者が有する交通機関側システムと決済機関が有する決済機関側システムと共同センターシステムとの間でデータの送受信が可能であり、
前記交通機関側システムは、
前記交通機関の利用者のＩＣカードを接触又は非接触によって、前記ＩＣカードに記録しているＩＣカード識別情報を前記交通機関側システムの読書装置が読み取り、
前記読書装置は前記利用者の利用料金を算出し、
前記ＩＣカード識別情報に基づいて前記利用者に対して前記オートチャージ方式又は前記後払い方式で前記読書装置の処理を行い、
前記読書装置から前記ＩＣカード識別情報と充当金額又は利用料金とを制御装置が受信し、前記ＩＣカード識別情報を前記共同センターシステムに送信し、
前記共同センターシステムは、
前記交通機関側システムから受信したＩＣカード識別情報に基づいて、前記ＩＣカード識別情報に関連づけられた仮想ＩＤを共同センター仮想ＩＤデータベースから抽出し、前記抽出した仮想ＩＤを前記交通機関側システムに送信し、
前記交通機関側システムは、
前記共同センターシステムから受信した仮想ＩＤと前記充当金額又は利用料金を請求データとして前記決済機関側システムに送信し、
前記決済機関側システムは、
前記受信した請求データに於ける仮想ＩＤに関連づけられたクレジットカード番号を決済機関側仮想ＩＤデータベースから抽出し、
前記抽出したクレジットカード番号と前記請求データに於ける充当金額又は利用料金とをクレジットカード利用データベースに記録する、
ことを特徴とする決済方法。
【請求項３９】
ＩＣカードによってオートチャージ方式又は後払い方式で交通機関の料金決済を行う決済方法であり、前記交通機関の事業者が有する交通機関側システムと決済機関が有する決済機関側システムと共同センターシステムとの間でデータの送受信が可能であり、
前記交通機関側システムは、
前記交通機関の利用者のＩＣカードを接触又は非接触によって、前記ＩＣカードに記録しているＩＣカード識別情報を前記交通機関側システムの読書装置が読み取り、
前記読書装置は前記利用者の利用料金を算出し、
前記ＩＣカード識別情報に基づいて前記利用者に対して前記オートチャージ方式又は前記後払い方式で前記読書装置の処理を行い、
前記読書装置から前記ＩＣカード識別情報と充当金額又は利用料金とを制御装置が受信し、前記ＩＣカード識別情報を前記共同センターシステムに送信し、
前記共同センターシステムは、
前記交通機関側システムから受信したＩＣカード識別情報に基づいて、前記ＩＣカード識別情報に関連づけられた仮想ＩＤを共同センター仮想ＩＤデータベースから抽出し、前記抽出した仮想ＩＤを前記交通機関側システムに送信し、
前記交通機関側システムは、
前記共同センターシステムから受信した仮想ＩＤと前記充当金額又は利用料金を請求データとして記録媒体に記録し、
前記決済機関側システムは、
前記記録媒体に記録された請求データを読み取り、前記請求データに於ける仮想ＩＤに関連づけられたクレジットカード番号を決済機関側仮想ＩＤデータベースから抽出し、
前記抽出したクレジットカード番号と前記請求データに於ける充当金額又は利用料金とをクレジットカード利用データベースに記録する、
ことを特徴とする決済方法。
【請求項４０】
ＩＣカードによってオートチャージ方式又は後払い方式で交通機関の料金決済を行う決済方法であり、前記交通機関の事業者が有する交通機関側システムと決済機関が有する決済機関側システムと共同センターシステムとの間でデータの送受信が可能であり、
前記交通機関側システムは、
前記交通機関の利用者のＩＣカードを接触又は非接触によって、前記ＩＣカードに記録しているＩＣカード識別情報を前記交通機関側システムの読書装置が読み取り、
前記読書装置は前記利用者の利用料金を算出し、
前記ＩＣカード識別情報に基づいて前記利用者に対して前記オートチャージ方式又は前記後払い方式で前記読書装置の処理を行い、
前記読書装置から前記ＩＣカード識別情報と充当金額又は利用料金とを制御装置が受信し、前記ＩＣカード識別情報を前記共同センターシステムに送信し、
前記共同センターシステムは、
前記交通機関側システムから受信したＩＣカード識別情報に基づいて、前記ＩＣカード識別情報に関連づけられた仮想ＩＤを統合仮想ＩＤデータベースから抽出し、前記抽出した仮想ＩＤを前記交通機関側システムに送信し、
前記交通機関側システムは、
前記共同センターシステムから受信した仮想ＩＤと前記充当金額又は利用料金を請求データとして前記決済機関側システムに送信し、
前記決済機関側システムは、
前記受信した請求データに於ける仮想ＩＤを抽出し、前記抽出した仮想ＩＤを前記共同センターシステムに送信し、
前記共同センターシステムは、
前記決済機関側システムから受信した仮想ＩＤに基づいて、前記仮想ＩＤに関連づけられたクレジットカード番号を前記統合仮想ＩＤデータベースから抽出し、前記抽出したクレジットカード番号を前記決済機関側システムに送信し、
前記交通機関側システムは、
前記共同センターシステムから受信したクレジットカード番号と前記請求データに於ける充当金額又は利用料金とをクレジットカード利用データベースに記録する、
ことを特徴とする決済方法。
【請求項４１】
ＩＣカードによってオートチャージ方式又は後払い方式で交通機関の料金決済を行う決済方法であり、前記交通機関の事業者が有する交通機関側システムと決済機関が有する決済機関側システムと共同センターシステムとの間でデータの送受信が可能であり、
前記交通機関側システムは、
前記交通機関の利用者のＩＣカードを接触又は非接触によって、前記ＩＣカードに記録しているＩＣカード識別情報を前記交通機関側システムの読書装置が読み取り、
前記読書装置は前記利用者の利用料金を算出し、
前記ＩＣカード識別情報に基づいて前記利用者に対して前記オートチャージ方式又は前記後払い方式で前記読書装置の処理を行い、
前記読書装置から前記ＩＣカード識別情報と充当金額又は利用料金とを制御装置が受信し、前記ＩＣカード識別情報を前記共同センターシステムに送信し、
前記共同センターシステムは、
前記交通機関側システムから受信したＩＣカード識別情報に基づいて、前記ＩＣカード識別情報に関連づけられた仮想ＩＤを統合仮想ＩＤデータベースから抽出し、前記抽出した仮想ＩＤを前記交通機関側システムに送信し、
前記交通機関側システムは、
前記共同センターシステムから受信した仮想ＩＤと前記充当金額又は利用料金を請求データとして記録媒体に記録し、
前記決済機関側システムは、
前記記録媒体に記録された請求データを読み取り、前記請求データに於ける仮想ＩＤを抽出し、前記抽出した仮想ＩＤを前記共同センターシステムに送信し、
前記共同センターシステムは、
前記決済機関側システムから受信した仮想ＩＤに基づいて、前記仮想ＩＤに関連づけられたクレジットカード番号を前記統合仮想ＩＤデータベースから抽出し、前記抽出したクレジットカード番号を前記決済機関側システムに送信し、
前記交通機関側システムは、
前記共同センターシステムから受信したクレジットカード番号と前記請求データに於ける充当金額又は利用料金とをクレジットカード利用データベースに記録する、
ことを特徴とする決済方法。
【請求項４２】
前記交通機関側システムは、
前記ＩＣカードにＩＣカード利用限度枠を書き込む利用限度枠設定装置を、更に有しており、
前記共同センターシステムの前記共同センター仮想ＩＤデータベース又は前記統合仮想ＩＤデータベースは、更に仮想ＩＤ利用限度枠と付与済み利用限度枠とを関連づけて記録しており、
前記利用限度枠設定装置は、前記利用者が前記ＩＣカードの利用を開始する前に、前記ＩＣカードに付与を希望するＩＣカード利用限度枠の入力を受け付けると共に前記ＩＣカード識別情報を読み取り、前記共同センターシステムに対してその利用限度枠の設定が可能かの問い合わせを前記ＩＣカード識別情報と共に送信し、
前記共同センターシステムは、
前記利用限度枠設定装置から受信した前記問い合わせと前記ＩＣカード識別情報に基づいて、前記共同センター仮想ＩＤデータベース又は前記統合仮想ＩＤデータベースから、前記ＩＣカード識別情報に関連づけられた仮想ＩＤに対する前記仮想ＩＤ利用限度枠と前記付与済み利用限度枠とを抽出し、前記付与済み利用限度枠と前記利用限度枠設定装置で入力を受け付けた前記希望するＩＣカード利用限度枠とを加算し、その合計が前記抽出した仮想ＩＤ利用限度枠以下であれば前記利用限度枠設定装置に対して設定可能の通知を送信し、
前記利用限度枠設定装置は、
前記共同センターシステムから設定可能の通知を受信後、前記ＩＣカードに前記入力を受け付けたＩＣカード利用限度枠を記録し、前記共同センターシステムに対して前記記録したＩＣカード利用限度枠を送信し、
前記共同センターシステムは、
前記利用限度枠設定装置から前記記録したＩＣカード利用限度枠を受信後、前記ＩＣカード識別情報に関連づけられた仮想ＩＤに対する前記付与済み利用限度枠にそれを加算して新たな付与済み利用限度枠として更新する、
ことを特徴とする請求の範囲３８から請求の範囲４１のいずれかに記載の決済方法。
【請求項４３】
前記共同センターシステムの前記共同センター仮想ＩＤデータベース又は前記統合仮想ＩＤデータベースは、更に仮想ＩＤ利用限度枠を関連づけて記録しており、
前記交通機関側システムは、
前記ＩＣカード識別情報に対応する仮想ＩＤの問い合わせを送信する際に、前記ＩＣカードの充当金額又は利用料金を併せて送信し、
前記共同センターシステムは、
前記問い合わせに於けるＩＣカード識別情報に基づいて前記共同センター仮想ＩＤデータベース前記統合仮想ＩＤデータベースから前記仮想ＩＤと仮想ＩＤ利用限度枠を抽出し、前記抽出した仮想ＩＤに関連づけられたＩＣカード識別情報の充当金額又は利用料金の合計を算出し、
それが前記仮想ＩＤ利用限度枠以下であれば、前記交通機関側システムに対して前記抽出した仮想ＩＤを送信し、前記算出した合計が前記仮想ＩＤ利用限度枠より大きければ前記仮想ＩＤに関連づけられたＩＣカード識別情報をネガデータとして作成し、前記交通機関側システムに対して前記抽出した仮想ＩＤと前記ネガデータとを送信し、
前記交通機関側システムは、
前記共同センターシステムから前記ネガデータを受信した場合には、前記ＩＣカードから読み取った前記ＩＣカード識別情報と前記ネガデータとを比較し、前記ＩＣカード識別情報が含まれている場合には、そのＩＣカードの利用者による利用を拒否する、
ことを特徴とする請求の範囲３８から請求の範囲４１のいずれかに記載の決済方法。
【請求項４４】
前記共同センターシステムの前記事業者仮想ＩＤデータベース又は前記事業者統合仮想ＩＤデータベースは、更に仮想ＩＤ利用限度枠を関連づけて記録しており、
前記前記事業者システムは、
前記利用者識別情報に対応する仮想ＩＤの問い合わせを送信する際に、前記利用者の利用した利用料金を併せて送信し、
前記共同センターシステムは、
前記問い合わせに於ける利用者識別情報に基づいて前記事業者仮想ＩＤデータベース又は前記事業者統合仮想ＩＤデータベースから前記仮想ＩＤと仮想ＩＤ利用限度枠を抽出し、前記抽出した仮想ＩＤに関連づけられた利用者識別情報の、前記利用者の利用した利用料金の合計を算出し、それが前記仮想ＩＤ利用限度枠以下であれば、前記事業者システムに対して前記抽出した仮想ＩＤを送信し、前記算出した合計が前記仮想ＩＤ利用限度枠より大きければ前記仮想ＩＤに関連づけられた利用者識別情報をネガデータとして作成し、前記事業者システムに対して前記抽出した仮想ＩＤと前記ネガデータとを送信し、
前記事業者システムは、
前記共同センターシステムから前記ネガデータを受信した場合には、前記利用者から前記利用者識別情報を受信する際に、前記利用者識別情報と前記ネガデータとを比較し、前記利用者識別情報が含まれている場合には、その利用者識別情報を有する利用者による利用を拒否する、
ことを特徴とする請求の範囲３８から請求の範囲４１のいずれかに記載の決済方法。
【発明の詳細な説明】
【技術分野】
【０００１】  本発明は、オートチャージ方式或いは後払い方式による決済方式で交通機関を利用した利用者がクレジットカードによる決済を行う、決済システム、交通機関側システム、決済機関側システム、共同センターシステム及び決済方法に関する。又交通機関以外の他のサービスを提供する事業者からの請求をクレジットカードによる決済を行う、決済システム、交通機関側システム、決済機関側システム、共同センターシステム及び決済方法に関する。
【背景技術】
【０００２】  利用者が交通機関を利用した際に支払う料金を、プリペイド方式によるＩＣカード（主に非接触型）を用いて決済を行う仕組みが存在する。しかしプリペイド方式には予め利用者がＩＣカードに金額を充当しておく必要がある等の問題から、特許文献１及び特許文献２に開示されているように、オートチャージ方式或いは後払い方式による決済方法が発明された。この場合の概念図を図３に示す。【０００３】  オートチャージ方式とは、特許文献１に開示のように、利用者が改札口でＩＣカードを読み取らせると、その残額が一定金額未満である場合には、所定金額をＩＣカードに自動的に充当し、所定期間経過後に当該利用者に対して充当した金額の請求をクレジットカードや口座引き落とし等によって行う仕組みである。【０００４】  後払い方式とは、特許文献２に開示のように、利用者が改札口でＩＣカードを読み取らせると、その利用情報を読み取り、所定期間経過後に当該利用者に対して利用金額の請求をクレジットカードや口座引き落とし等によって行う仕組みである。【０００５】  又交通機関以外の事業者が提供するサービスを利用者が享受した場合に、利用者の利用金額をクレジットカードによって決済を行う、一般的なクレジットカードによる決済の仕組みも存する。【０００６】
【特許文献１】特開２００２−３３４２８４号公報
【特許文献２】特開平９−１１５０１７号公報
【発明の開示】
【発明が解決しようとする課題】
【０００７】  このようにオートチャージ方式や後払い方式は、利用者が事前にＩＣカードに金額を充当する必要がない為、非常に便利である。しかしその一方で、図３の概念図に示すように、利用者がＩＣカードによって乗車を行った場合、そのＩＣカード又は利用者を識別する情報（以下、ＩＣカード識別情報）や利用金額・充当金額をクレジットカード会社や金融機関等に対して送信する必要がある。特に図３（ｂ）に示したように、利用者が複数の交通機関でこのような方式を用いている場合には、その数だけデータ量が必要となる。即ち各交通機関毎の識別情報とクレジットカード番号との関連づけが、その数だけ必要になり、決済機関に於けるデータ量の増加にも繋がる。【０００８】  利用者がそのＩＣカードを紛失することは良くあることであり、そのような場合、利用者は交通機関の事業者に対してＩＣカードの再発行手続の依頼を行うが、通常は再発行を行うことによってＩＣカードが変更されるので、改札口等で読み取らせるＩＣカード識別情報が変更することとなる。【０００９】  そうすると、特許文献１及び特許文献２に開示されているオートチャージ方式や後払い方式による決済方法の場合、決済機関に於いてＩＣカード識別情報とクレジットカード番号とが関連づけられているので、決済が行えなくなってしまう。従ってＩＣカード識別情報とクレジットカード番号との関連づけを決済機関が再度行わなければならない。このような関連づけを再度行う為には、まず交通機関の事業者が決済機関に対して紛失したＩＣカード識別情報と、再発行したＩＣカード識別情報とを送信し、決済機関は紛失したＩＣカード識別情報と利用者のクレジットカード番号との関連づけの削除、及び再発行したＩＣカード識別情報と利用者のクレジットカード番号との新たな関連づけの作業を行う必要がある。【００１０】  一方で、交通機関以外の事業者が提供するサービスでクレジットカード決済を行う場合には、当該事業者がその利用料金とクレジットカード番号とを決済機関に対して送信している為、事業者と決済機関との間でクレジットカード番号が送受信されることとなる。従って事業者側でもクレジットカード番号のデータを保持することとなるが、クレジットカード番号の盗用等の問題から、利用者としては出来る限りクレジットカード番号は知られたくないのが現実である。【００１１】  更に交通機関事業者の場合と同様に、事業者は利用者とクレジットカード番号との関連づけを常に保持している必要があり、例えば利用者がクレジットカードを紛失等したことによって、その番号の変更が行われた場合、利用者は決済機関のみならず事業者に対してもクレジットカード番号の変更の連絡を行う必要がある。又その連絡を受けた事業者は利用者とクレジットカード番号の関連づけの変更作業を行わなくてはならない。加えて、利用者が複数の事業者でクレジットカード決済を行っている場合、各事業者に対して上述のクレジットカード番号の変更の連絡を行わなくてはならない。
【課題を解決するための手段】
【００１２】  以上のように、従来のオートチャージ方式或いは後払い方式による決済方法では、ＩＣカードの紛失等をした場合の処理が非常に大変であり、交通機関の事業者及び決済機関に多大なる負担が発生する。【００１３】  そこで本発明者は、この負担軽減の為、ＩＣカードとクレジットカード番号を直接関連づけるのではなく、交通機関の事業者と決済機関に於いて利用者に予め定められた識別子（仮想ＩＤ）を付与し、決済の際にはその識別子を用いて決済を行うことにより、上述の問題点を解決する、決済システム、交通機関側システム、決済機関側システム、共同センターシステム及び決済方法を発明した。【００１４】  又本発明者は、上述のように、交通機関の事業者以外の事業者のクレジットカード決済を行う際に、交通機関の事業者の場合と同様に、その事業者と決済機関に於いて予め定められた仮想ＩＤを付与し、決済の際にはその識別子を用いて決済を行うことにより、上述の問題点を解決する決済システム及び方法を発明した。【００１５】  まず本発明の決済システムは、オートチャージ方式又は後払い方式の決済方式を用いる決済システムであって、前記決済システムは、交通機関の事業者が有する交通機関側システムと決済機関が有する決済機関側システムとからなり、前記交通機関側システムは、ＩＣカード又は利用者を識別するＩＣカード識別情報と前記ＩＣカードに対して充当した充当金額又は前記ＩＣカードを有する利用者の利用料金とを関連づけて記録している交通機関利用データベースと、ＩＣカード識別情報と、ＩＣカード又は利用者に対して予め付与されている仮想ＩＤとを関連づけて記録している交通機関側仮想ＩＤデータベースと、前記ＩＣカードに記録している情報の読み書きを行う読書装置と、前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、前記読書装置が前記ＩＣカードから読み取った前記ＩＣカード識別情報に関連づけられた仮想ＩＤを前記決済機関側仮想ＩＤデータベースより抽出し、前記抽出した仮想ＩＤと前記充当金額又は利用料金とを請求データとして前記決済機関側システムに送信する管理装置と、からなり、前記決済機関側システムは、ＩＣカード又は利用者に対して予め付与されている前記仮想ＩＤとクレジットカード番号とを関連づけて記録している決済機関側仮想ＩＤデータベースと、前記クレジットカード番号と充当金額又は利用料金とを関連づけて記録しているクレジットカード利用データベースと、前記交通機関側システムから前記請求データを受信し、前記請求データに於ける前記仮想ＩＤに関連づけられたクレジットカード番号を前記決済機関側仮想ＩＤデータベースから抽出し、前記抽出したクレジットカード番号と前記請求データに於ける充当金額又は利用料金とを、前記クレジットカード利用データベースに記録する料金請求装置と、からなる決済システムである。【００１６】  これらの発明によって、利用者はＩＣカードによってオートチャージ方式又は後払い方式で決済を行うことが出来る一方で、仮にＩＣカー��を紛失してその識別情報が変更された場合であっても、従来のように決済機関側でのクレジットカード番号との関連づけの作業を不要とする。即ち、交通機関の事業者が自らの交通機関側仮想ＩＤデータベースで、ＩＣカードの識別情報と仮想ＩＤとの関連づけの変更のみで事足りることとなる。【００１７】  又、上述の発明に於いては、オートチャージ方式又は後払い方式の決済方式を用いる決済システムであって、前記決済システムは、交通機関の事業者が有する交通機関側システムと決済機関が有する決済機関側システムとからなり、前記交通機関側システムは、ＩＣカード又は利用者を識別するＩＣカード識別情報と前記ＩＣカードに対して充当した充当金額又は前記ＩＣカードを有する利用者の利用料金とを関連づけて記録している交通機関利用データベースと、ＩＣカード識別情報と、ＩＣカード又は利用者に対して予め付与されている仮想ＩＤとを関連づけて記録している交通機関側仮想ＩＤデータベースと、前記ＩＣカードに記録している情報の読み書きを行う読書装置と、前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、前記読書装置が前記ＩＣカードから読み取った前記ＩＣカード識別情報に関連づけられた仮想ＩＤを前記交通機関側仮想ＩＤデータベースより抽出し、前記抽出した仮想ＩＤと前記充当金額又は利用料金とを請求データとして記録媒体に記録する管理装置と、からなり、前記決済機関側システムは、ＩＣカード又は利用者に対して予め付与されている前記仮想ＩＤとクレジットカード番号とを関連づけて記録している決済機関側仮想ＩＤデータベースと、前記クレジットカード番号と充当金額又は利用料金とを関連づけて記録しているクレジットカード利用データベースと、前記記録媒体に記録された前記請求データを読み取り、前記請求データに於ける前記仮想ＩＤに関連づけられたクレジットカード番号を前記決済機関側仮想ＩＤデータベースから抽出し、前記抽出したクレジットカード番号と前記請求データに於ける充当金額又は利用料金とを、前記クレジットカード利用データベースに記録する料金請求装置と、からなる決済システムと構成することも出来る。【００１８】  このように構成することによって、ネットワークを介して請求データの送受信を行うのみならず、磁気ディスク、光磁気ディスク、光ディスク、磁気テープ等の各種の記録媒体に請求データを記録し、請求データのやりとりを行うことが出来る。【００１９】  又本発明の決済システムを以下のように構成しても良い。オートチャージ方式又は後払い方式の決済方式を用いる決済システムであって、前記決済システムは、交通機関の事業者が有する交通機関側システムと決済機関が有する決済機関側システムと共同センターシステムとからなり、前記交通機関側システムは、ＩＣカード又は利用者を識別するＩＣカード識別情報と前記ＩＣカードに対して充当した充当金額又は前記ＩＣカードを有する利用者の利用料金とを関連づけて記録している交通機関利用データベースと、前記ＩＣカードに記録し��いる情報の読み書きを行う読書装置と、前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、前記読書装置が前記ＩＣカードから読み取った前記ＩＣカード識別情報を前記共同センターシステムに対して送信することで前記ＩＣカード識別情報に関連づけられた仮想ＩＤの問い合わせを行い、前記仮想ＩＤを前記共同センターシステムから受信し、前記受信した仮想ＩＤと前記充当金額又は利用料金とを請求データとして前記決済機関側システムに送信する管理装置と、からなり、前記決済機関側システムは、ＩＣカード又は利用者に対して予め付与されている前記仮想ＩＤとクレジットカード番号とを関連づけて記録している決済機関側仮想ＩＤデータベースと、前記クレジットカード番号と充当金額又は利用料金とを関連づけて記録しているクレジットカード利用データベースと、前記交通機関側システムから前記請求データを受信し、前記請求データに於ける前記仮想ＩＤに関連づけられたクレジットカード番号を前記決済機関側仮想ＩＤデータベースから抽出し、前記抽出したクレジットカード番号と前記請求データに於ける充当金額又は利用料金とを、前記クレジットカード利用データベースに記録する料金請求装置と、からなり、前記共同センターシステムは、前記ＩＣカード識別情報と前記仮想ＩＤとを関連づけて記録している共同センター仮想ＩＤデータベースとを有しており、前記交通機関側システムから前記ＩＣカード識別情報を受信すると、前記ＩＣカード識別情報に関連づけられた仮想ＩＤを前記共同センター仮想ＩＤデータベースから抽出し、前記抽出した仮想ＩＤを前記交通機関側システムに送信する装置である、決済システムである。【００２０】  このように構成することで、交通機関の事業者側に利用者のクレジットカード番号を保持する必要がなくなり、共同センターで所持することが可能となる。【００２１】  又上述の発明は、オートチャージ方式又は後払い方式の決済方式を用いる決済システムであって、前記決済システムは、交通機関の事業者が有する交通機関側システムと決済機関が有する決済機関側システムと共同センターシステムとからなり、前記交通機関側システムは、ＩＣカード又は利用者を識別するＩＣカード識別情報と前記ＩＣカードに対して充当した充当金額又は前記ＩＣカードを有する利用者の利用料金とを関連づけて記録している交通機関利用データベースと、前記ＩＣカードに記録している情報の読み書きを行う読書装置と、前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、前記読書装置が前記ＩＣカードから読み取った前記ＩＣカード識別情報を前記共同センターシステムに対して送信することで前記ＩＣカード識別情報に関連づけられた仮想ＩＤの問い合わせを行い、前記仮想ＩＤを前記共同センターシステムから受信し、前記受信した仮想ＩＤと前記���当金額又は利用料金とを請求データとして記録媒体に記録する管理装置と、からなり、前記決済機関側システムは、ＩＣカード又は利用者に対して予め付与されている前記仮想ＩＤとクレジットカード番号とを関連づけて記録している決済機関側仮想ＩＤデータベースと、前記クレジットカード番号と充当金額又は利用料金とを関連づけて記録しているクレジットカード利用データベースと、前記記録媒体に記録された前記請求データを読み取り、前記請求データに於ける前記仮想ＩＤに関連づけられたクレジットカード番号を前記決済機関側仮想ＩＤデータベースから抽出し、前記抽出したクレジットカード番号と前記請求データに於ける充当金額又は利用料金とを、前記クレジットカード利用データベースに記録する料金請求装置と、からなり、前記共同センターシステムは、前記ＩＣカード識別情報と前記仮想ＩＤとを関連づけて記録している共同センター仮想ＩＤデータベースとを有しており、前記交通機関側システムから前記ＩＣカード識別情報を受信すると、前記ＩＣカード識別情報に関連づけられた仮想ＩＤを前記共同センター仮想ＩＤデータベースから抽出し、前記抽出した仮想ＩＤを前記交通機関側システムに送信する装置である、決済システムと構成することも可能である。【００２２】  このように構成することによって、共同センターを利用する発明に於いても、ネットワークを介して請求データの送受信を行うのみならず、磁気ディスク、光磁気ディスク、光ディスク、磁気テープ等の各種の記録媒体に請求データを記録し、請求データのやりとりを行うことが出来る。【００２３】  又、本発明は、オートチャージ方式又は後払い方式の決済方式を用いる決済システムであって、前記決済システムは、交通機関の事業者が有する交通機関側システムと決済機関が有する決済機関側システムと共同センターシステムとからなり、前記交通機関側システムは、ＩＣカード又は利用者を識別するＩＣカード識別情報と前記ＩＣカードに対して充当した充当金額又は前記ＩＣカードを有する利用者の利用料金とを関連づけて記録している交通機関利用データベースと、前記ＩＣカードに記録している情報の読み書きを行う読書装置と、前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、前記読書装置が前記ＩＣカードから読み取った前記ＩＣカード識別情報を前記共同センターシステムに対して送信することで前記ＩＣカード識別情報に関連づけられた仮想ＩＤの問い合わせを行い、前記仮想ＩＤを前記共同センターシステムから受信し、前記受信した仮想ＩＤと前記充当金額又は利用料金とを請求データとして前記決済機関側システムに送信する管理装置と、からなり、前記決済機関側システムは、前記利用者のクレジットカード番号と充当金額又は利用料金とを関連づけて記録しているクレジットカード利用データベースと、前記交通機関側システムから前記請求データを受信し、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける充当金額又は利用料金とを、前記クレジットカード利用データベースに記録する料金請求装置と、からなり、前記共同センターシステムは、前記ＩＣカード識別情報と前記ＩＣカード又は利用者に対して予め付与されている仮想ＩＤと前記利用者のクレジットカード番号とを関連づけて記録している統合仮想ＩＤデータベースとを有しており、前記交通機関側システムから前記ＩＣカード識別情報を受信すると、前記ＩＣカード識別情報に関連づけられた仮想ＩＤを前記統合仮想ＩＤデータベースから抽出し、前記抽出した仮想ＩＤを前記交通機関側システムに送信し、前記決済機関側システムから前記仮想ＩＤを受信すると、前記仮想ＩＤに関連づけられたクレジットカード番号を前記統合仮想ＩＤデータベースから抽出し、前記抽出したクレジットカード番号を前記決済機関側システムに送信する装置である、決済システムである。【００２４】  本発明に於いては、共同センターシステムに於いてＩＣカード識別情報と仮想ＩＤとクレジットカード番号とを保持することとなる。これによって、利用者がＩＣカードを紛失した場合、或いはクレジットカード番号を紛失した場合等の際にそのＩＣカード識別情報又はクレジットカード番号が変更されたとしても、利用者は共同センターのみに通知をすれば良く、その負担が軽減される。【００２５】  上述の発明は、以下のように構成することも可能である。オートチャージ方式又は後払い方式の決済方式を用いる決済システムであって、前記決済システムは、交通機関の事業者が有する交通機関側システムと決済機関が有する決済機関側システムと共同センターシステムとからなり、前記交通機関側システムは、ＩＣカード又は利用者を識別するＩＣカード識別情報と前記ＩＣカードに対して充当した充当金額又は前記ＩＣカードを有する利用者の利用料金とを関連づけて記録している交通機関利用データベースと、前記ＩＣカードに記録している情報の読み書きを行う読書装置と、前記読書装置が読み取ったＩＣカード識別情報と、前記読書装置が前記ＩＣカードに対して充当した前記充当金額又は前記交通機関の料金として算出した前記利用料金とを前記読書装置から受信し、前記交通機関利用データベースに記録する制御装置と、前記読書装置が前記ＩＣカードから読み取った前記ＩＣカード識別情報を前記共同センターシステムに対して送信することで前記ＩＣカード識別情報に関連づけられた仮想ＩＤの問い合わせを行い、前記仮想ＩＤを前記共同センターシステムから受信し、前記受信した仮想ＩＤと前記充当金額又は利用料金とを請求データとして記録媒体に記録する管理装置と、からなり、前記決済機関側システムは、前記利用者のクレジットカード番号と充当金額又は利用料金とを関連づけて記録しているクレジットカード利用データベースと、前記記録媒体に記録された前記請求データを読み取り、前記請求データに於ける前記仮想ＩＤを抽出し、前記抽出した仮想ＩＤを前記共同センターシステムに送信することで前記仮想ＩＤに関連づけられたクレジ��トカード番号の問い合わせを行い、前記共同センターシステムから前記クレジットカード番号を受信し、前記受信したクレジットカード番号と前記請求データに於ける充当金額又は利用料金とを、前記クレジットカード利用データベースに記録する料金請求装置と、からなり、前記共同センターシステムは、前記ＩＣカード識別情報と前記ＩＣカード又は利用者に対して予め付与されている仮想ＩＤと前記利用者のクレジットカード番号とを関連づけて記録している統合仮想ＩＤデータベースを有しており、前記交通機関側システムから前記ＩＣカード識別情報を受信すると、前記ＩＣカード識別情報に関連づけられた仮想ＩＤを前記統合仮想ＩＤデータベースから抽出し、前記抽出した仮想ＩＤを前記交通機関側システムに送信し、前記決済機関側システムから前記仮想ＩＤを受信すると、前記仮想ＩＤに関連づけられたクレジットカード番号を前記統合仮想ＩＤデータベースから抽出し、前記抽出したクレジットカード番号を前記決済機関側システムに送信する装置である、る決済システムである。【００２６】  共同センターを利用する発明に於いても、ネットワークを介して請求データの送受信を行うのみならず、磁気ディスク、光磁気ディスク、光ディスク、磁気テープ等の各種の記録媒体に請求データを記録し、請求データのやりとりを行うことが出来る。【００２７】  上述の決済システムでは交通機関を事業者としての対象としていたが、交通機関に限定されるものではなく、例えば携帯電話会社等の各種の事業者のクレジットカード決済の場合に、仮想ＩＤを用いて事業者側でクレジットカード番号の保持を行わない決済システムとすることも可能である。利用者に対してサービスを提供する事業者の前記利用者に対するクレジットカードによる決済を行う決済システムであって、前記決済システムは、事業者が有する事業者システムと決済機関が有する決済機関側システムと共同センターシステムとからなり、前記事業者システムは、利用者を識別する利用者識別情報と前記利用者の利用した利用料金とを関連づけて記録している事業者売上データベースと、前記事業者売上データベースに記録している利用者識別情報と利用料金とを抽出し、前記抽出した利用者識別情報を前記共同センターシステムに対して送信することで前記利用者識別情報に関連づけられた仮想ＩＤの問い合わせを行い、前記仮想ＩＤを前記共同センターシステムから受信し、前記受信した仮想ＩＤと前記利用料金とを請求データとして前記決済機関側システムに送信する売上管理装置と、からなり、前記決済機関側システムは、前記利用者に対して予め付与されている前記仮想ＩＤとクレジットカード番号とを関連づけて記録している決済機関側仮想ＩＤデータベースと、前記クレジットカード番号と利用料金とを関連づけて記録しているクレジットカード利用データベースと、前記事業者システムから前記請求データを受信し、前記請求データに於ける前記仮想ＩＤに関連づけられたクレジットカード番号を前記決済機関側仮想ＩＤデータベースから抽出し、前記抽出したクレジットカード番号と前記請求データに於ける利用料金とを、前記クレジットカード利用データベースに記録する料金請求装置と、からなり、前記共同センター���ステムは、前記利用者識別情報と前記仮想ＩＤとを関連づけて記録している事業者仮想ＩＤデータベースを有しており、前記事業者システムから前記利用者識別情報を受信すると、前記利用者識別情報に関連づけられた仮想ＩＤを前記事業者仮想ＩＤデータベースから抽出し、前記抽出した仮想ＩＤを前記事業者システムに送信する装置である、決済システムである。【００２８】  このように交通機関の場合と同様に共同センターを設け、そこに事業者で利用している利用者識別情報と仮想ＩＤとを関連づけたデータベースを所持することで、クレジットカード番号を事業者で保持する必要がなくなる。【００２９】  更に上述の発明を以下のように構成することも可能である。利用者に対してサービスを提供する事業者の前記利用者に対するクレジットカードによる決済を行う決済システムであって、前記決済システムは、事業者が有する事業者システムと決済機関が有する決済機関側システムと共同センターシステムとからなり、前記事業者システムは、利用者を識別する利用者識別情報と前記利用者の利用した利用料金とを関連づけて記録している事業者売上データベースと、前記事業者売上データベースに記録している利用者識別情報と利用料金とを抽出し、前記抽出した利用者識別情報を前記共同センターシステムに対して送信することで前記利用者識別情報に関連づけられた仮想ＩＤの問い合わせを行い、前記仮想ＩＤを前記共同センターシステムから受信し、前記受信した仮想ＩＤと前記利用料金とを請求データとして記録媒体に記録する売上管理装置と、からなり、前記決済機関側システムは、前記利用者に対して予め付与されている前記仮想ＩＤとクレジットカード番号とを関連づけて記録している決済機関側仮想ＩＤデータベースと、前記クレジットカード番号と利用料金とを関連づけて記録しているクレジットカード利用データベースと、前記記録媒体に記録された前記請求データを読み取り、前記請求データに於ける前記仮想ＩＤに関連づけられたクレジットカード番号を前記決済機関側仮想ＩＤデータベースから抽出し、前記抽出したクレジットカード番号と前記請求データに於ける利用料金とを、前記クレジットカード利用データベースに記録する料金請求装置と、からなり、前記共同センターシステムは、前記利用者識別情報と前記仮想ＩＤとを関連づけて記録している事業者仮想ＩＤデータベースを有しており、前記事業者システムから前記利用者識別情報を受信すると、前記利用者識別情報に関連づけられた仮想ＩＤを前記事業者仮想ＩＤデータベースから抽出し、前記抽出した仮想ＩＤを前記事業者システムに送信する装置である、決済システムである。【００３０】  このように構成することで、共同センターを利用する発明に於いても、ネットワークを介して請求データの送受信を行うのみならず、磁気ディスク、光磁気ディスク、光ディスク、磁気テープ等の各種の記録媒体に請求データを記録し、請求データのやりとりを行うことが出来る。【００３１】  更に各種の事業者の場合であっても、共同センターシステムで利用者識別情報と仮想ＩＤとクレジットカード番号とを所持することで、その一元的な管理が可能となる。利用者に対してサービスを提供する事業者の前記利用者に��するクレジットカードによる決済を行う決済システムであって、前記決済システムは、事業者が有する事業者システムと決済機関が有する決済機関側システムと共同センターシステムとからなり、前記事業者システムは、利用者を識別する利用者識別情報と前記利用者の利用した利用料金とを関連づけて記録している事業者売上データベースと、前記事業者売上データベースに記録している利用者識別情報と利用料金とを抽出し、前記抽出した利用者識別情報を前記共同センターシステムに対して送信することで前記利用者識別情報に関連づけられた仮想ＩＤの問い合わせを行い、前記仮想ＩＤを前記共同センターシステムから受信し、前記受信した仮想ＩＤと前記利用料金とを請求データとして前記決済機関側システムに送信する売上管理装置と、からなり、前記決済機関側システムは、前記利用者のクレジットカード番号と利用料金とを関連づけて記録しているクレジットカード利用データベースと、前記事業者システムから前記請求データを受信し、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける利用料金とを、前記クレジットカード利用データベースに記録する料金請求装置と、からなり、前記共同センターシステムは、前記利用者識別情報と前記仮想ＩＤと前記利用者のクレジットカード番号とを関連づけて記録している事業者統合仮想ＩＤデータベースを有しており、前記事業者システムから前記利用者識別情報を受信すると、前記利用者識別情報に関連づけられた仮想ＩＤを前記事業者統合仮想ＩＤデータベースから抽出し、前記抽出した仮想ＩＤを前記事業者システムに送信し、前記決済機関側システムから前記仮想ＩＤを受信すると、前記仮想ＩＤに関連づけられたクレジットカード番号を前記事業者統合仮想ＩＤデータベースから抽出し、前記抽出したクレジットカード番号を前記決済機関側システムに送信する装置である、決済システムである。【００３２】  このような一元的な管理を実現することで、利用者がのサービス変更、或いはクレジットカード番号を紛失した場合等の際にその利用者識別情報又はクレジットカード番号が変更されたとしても、利用者は共同センターのみに通知をすれば良く、その負担が軽減される。【００３３】  又、上述の発明を以下のように構成することも出来る。利用者に対してサービスを提供する事業者の前記利用者に対するクレジットカードによる決済を行う決済システムであって、前記決済システムは、事業者が有する事業者システムと決済機関が有する決済機関側システムと共同センターシステムとからなり、前記事業者システムは、利用者を識別する利用者識別情報と前記利用者の利用した利用料金とを関連づけて記録している事業者売上データベースと、前記事業者売上データベースに記録している利用者識別情報と利用料金とを抽出し、前記抽出した利用者識別情報を前記共同センターシステムに対して送信することで前記利用者識別情報に関連づけられた仮想ＩＤの問い合わせ���行い、前記仮想ＩＤを前記共同センターシステムから受信し、前記受信した仮想ＩＤと前記利用料金とを請求データとして記録媒体に記録する売上管理装置と、からなり、前記決済機関側システムは、前記利用者のクレジットカード番号と利用料金とを関連づけて記録しているクレジットカード利用データベースと、前記事業者システムで前記記録媒体に記録した前記請求データを受信し、前記請求データに於ける前記仮想ＩＤを抽出し、前記抽出した仮想ＩＤを前記共同センターシステムに送信することで前記仮想ＩＤに関連づけられたクレジットカード番号の問い合わせを行い、前記共同センターシステムから前記クレジットカード番号を受信し、前記受信したクレジットカード番号と前記請求データに於ける利用料金とを、前記クレジットカード利用データベースに記録する料金請求装置と、からなり、前記共同センターシステムは、前記利用者識別情報と前記仮想ＩＤと前記利用者のクレジットカード番号とを関連づけて記録している事業者統合仮想ＩＤデータベースを有しており、前記事業者システムから前記利用者識別情報を受信すると、前記利用者識別情報に関連づけられた仮想ＩＤを前記事業者統合仮想ＩＤデータベースから抽出し、前記抽出した仮想ＩＤを前記事業者システムに送信し、前記決済機関側システムから前記仮想ＩＤを受信すると、前記仮想ＩＤに関連づけられたクレジットカード番号を前記事業者統合仮想ＩＤデータベースから抽出し、前記抽出したクレジットカード番号を前記決済機関側システムに送信する装置である、決済システムである。【００３４】  このように構成することによって、共同センターを利用する発明に於いても、ネットワークを介して請求データの送受信を行うのみならず、磁気ディスク、光磁気ディスク、光ディスク、磁気テープ等の各種の記録媒体に請求データを記録し、請求データのやりとりを行うことが出来る。【００３５】  上述の各種の発明は、前記決済機関側仮想ＩＤデータベース、前記統合仮想ＩＤデータベース、又は前記事業者統合仮想ＩＤデータベースに記録している前記クレジットカード番号は、少なくとも一以上の仮想ＩＤと関連づけて記録していることとしても良い。【００３６】  このようにすることで、複数の仮想ＩＤの決済、即ち一人で複数のＩＣカード等を所持している場合や複数の事業者の決済を行う場合に、同一のクレジットカードでの決済が可能となる。又複数人、例えば家族で各々がＩＣカードを所持している場合や各人が各々の事業者の決済を行う場合に、同一のクレジットカードでの決済を可能とすることも出来る。【００３７】  又、上述の各種発明に於いて、前記仮想ＩＤは、前記決済システムに於いて前記利用者毎に共通である決済システムとしても良い。【００３８】  これによって、決済機関側仮想ＩＤデータベースでの仮想ＩＤとクレジットカード番号との関連づけを減らし、そのデータ量を削減できる。即ち、各社毎に仮想ＩＤを設けても良いが、そうすると仮想ＩＤとクレジットカード番号との関連づけを各社毎に有していることとなる。しかし、上述したように仮想ＩＤを複数の事業者間で共通化することによって、その関連づけは仮想ＩＤ一つに付き一つのクレジットカード番号で済むので、データ量が削減されることとなる。【００３９】  更に、前記交通機関は鉄道であり、前記読書装置は駅の改札口に設置されている自動改札機であり、前記制御装置は一以上の前記自動改札機を制御する改札制御装置である、決済システムとすると良い。【００４０】  上述の発明は、鉄道に於いて用いることが好適であり、その場合は、前記交通機関は鉄道であり、前記読書装置は駅の改札口に設置されている自動改札機であり、前記制御装置は一以上の前記自動改札機を制御する改札制御装置である、決済システムとなる。【００４１】  上述の各発明に於いて、前記交通機関側システムは、前記ＩＣカードにＩＣカード利用限度枠を書き込む利用限度枠設定装置を、更に有しており、前記共同センターシステムの前記共同センター仮想ＩＤデータベース又は前記統合仮想ＩＤデータベースは、更に仮想ＩＤ利用限度枠と付与済み利用限度枠とを関連づけて記録しており、前記利用限度枠設定装置は、前記ＩＣカードに付与を希望するＩＣカード利用限度枠の入力を受け付けると共に前記ＩＣカード識別情報を読み取り、前記共同センターシステムに対してその利用限度枠の設定が可能かの問い合わせを前記ＩＣカード識別情報と共に送信し、前記共同センターシステムから設定可能の通知を受信後、前記ＩＣカードに前記入力を受け付けたＩＣカード利用限度枠を記録し、前記共同センターシステムに対して前記記録したＩＣカード利用限度枠を送信する装置であり、前記共同センターシステムは、前記利用限度枠設定装置から受信した前記問い合わせと前記ＩＣカード識別情報に基づいて、前記共同センター仮想ＩＤデータベース又は前記統合仮想ＩＤデータベースから、前記ＩＣカード識別情報に関連づけられた仮想ＩＤに対する前記仮想ＩＤ利用限度枠と前記付与済み利用限度枠とを抽出し、前記付与済み利用限度枠と前記利用限度枠設定装置で入力を受け付けた前記希望するＩＣカード利用限度枠とを加算し、その合計が前記抽出した仮想ＩＤ利用限度枠以下であれば前記利用限度枠設定装置に対して設定可能の通知を送信し、前記利用限度枠設定装置から前記記録したＩＣカード利用限度枠を受信後、前記ＩＣカード識別情報に関連づけられた仮想ＩＤに対する前記付与済み利用限度枠にそれを加算して新たな付与済み利用限度枠として更新する、決済システムとしても良い。【００４２】  このようにＩＣカードにそのＩＣカードで利用可能なＩＣカード利用限度枠を記録することで、利用者による与信力を超えた利用を防止することが出来る。又、利用者がＩＣカードを紛失・盗難等の被害にあった場合には、そのＩＣカード利用限度枠内に損害を抑えることが出来る。【００４３】  利用限度枠を設ける場合には、本発明のように構成しても良い。即ち、前記共同センターシステムの前記共同センター仮想ＩＤデータベース又は前記統合仮想ＩＤデータベースは、更に仮想ＩＤ利用限度枠を関連づけて記録しており、前記交通機関側システムは、前記ＩＣカード識別情報に対応する仮想ＩＤの問い合わせを送信する際に、前記ＩＣカードの充当金額又は利用料金を併せて送信し、前記共同センターシステムは、前記問い合わせに於けるＩＣカード識別情報に基づいて前記共同センター仮想ＩＤデータベース前記統合仮想Ｉ��データベースから前記仮想ＩＤと仮想ＩＤ利用限度枠を抽出し、前記抽出した仮想ＩＤに関連づけられたＩＣカード識別情報の充当金額又は利用料金の合計を算出し、それが前記仮想ＩＤ利用限度枠以下であれば、前記交通機関側システムに対して前記抽出した仮想ＩＤを送信し、前記算出した合計が前記仮想ＩＤ利用限度枠より大きければ前記仮想ＩＤに関連づけられたＩＣカード識別情報をネガデータとして作成し、前記交通機関側システムに対して前記抽出した仮想ＩＤと前記ネガデータとを送信する、決済システムである。【００４４】  又、交通機関の事業者以外の場合には、以下のような構成としても良い。即ち、前記共同センターシステムの前記事業者仮想ＩＤデータベース又は前記事業者統合仮想ＩＤデータベースは、更に仮想ＩＤ利用限度枠を関連づけて記録しており、前記前記事業者システムは、前記利用者識別情報に対応する仮想ＩＤの問い合わせを送信する際に、前記利用者の利用した利用料金を併せて送信し、前記共同センターシステムは、前記問い合わせに於ける利用者識別情報に基づいて前記事業者仮想ＩＤデータベース又は前記事業者統合仮想ＩＤデータベースから前記仮想ＩＤと仮想ＩＤ利用限度枠を抽出し、前記抽出した仮想ＩＤに関連づけられた利用者識別情報の、前記利用者の利用した利用料金の合計を算出し、それが前記仮想ＩＤ利用限度枠以下であれば、前記事業者システムに対して前記抽出した仮想ＩＤを送信し、前記算出した合計が前記仮想ＩＤ利用限度枠より大きければ前記仮想ＩＤに関連づけられた利用者識別情報をネガデータとして作成し、前記事業者システムに対して前記抽出した仮想ＩＤと前記ネガデータとを送信する、決済システムである。
【発明の効果】
【００４５】  このような構成とすることでＩＣカードにＩＣカード利用限度枠を記録せずとも済む。従って利用者はその利用開始前までにＩＣカード利用限度枠の申請手続きが不要となる。
発明の実施する為の最良の形態【００４６】  本発明のシステム構成の一例を図１の概念図及び図４のシステム構成図を用いて説明する。尚、本実施例では、利用者が利用する交通機関として鉄道（地下鉄も含む）である場合を説明するが、他の交通機関、例えばバスや飛行機、タクシー等であっても良い。【００４７】  図１（ａ）の概念図は、利用者がＩＣカード４を用いてＡ社の交通機関に乗車し、その決済が本発明により行われる場合の概念図を示しており、図１（ｂ）の概念図は、利用者がＩＣカード４を用いてＡ社及びＢ社の交通機関に乗車し、その決済が本発明により行われる場合の概念図を示している。図４では、本発明の決済システム１のシステム構成図を示しており、交通機関の事業者側のシステムである交通機関側システム２と、クレジットカード会社側のシステムである決済機関側システム３とがネットワーク５を介してデータの送受信が可能である。【００４８】  ＩＣカード４は、利用者が交通機関を利用する際に用いる接触型、非接触型の乗車カードであり、特定の情報を記録することが可能なカードである。ＩＣカード４にはＩＣチップが具備されており、ＩＣカード４又は利用者を識別するＩＣカード識別情報と金額が記録されている。【００４９】  交通機関側システム２は、自動改札機６と改札制御装置７と管理装置８と交通機関利用データベース１０と交通機関側仮想ＩＤデータベース９とを有している。【００５０】  自動改札機６は、利用者のＩＣカード４を接触、又は非接触によってＩＣカード４との間で通信を行い、情報の読み取り、或いは書き込みを行う装置である。即ち利用者が駅の改札口に入場する際、或いは駅の改札口から出場する際に、ＩＣカード４を自動改札機６に接触或いは非接触させることによって、ＩＣカード４に記録されているＩＣカード識別情報と交通機関の利用情報（入場する情報、出場した情報、それら時刻等）を読み取らせ、オートチャージ方式或いは後払い方式で後に決済可能とする装置である。尚、図４では自動改札機６は一つしか図示していないが、通常は複数設けられている。【００５１】  自動改札機６は、利用者が駅に入場する際には、その入場時刻と駅を識別する情報とをＩＣカード４に記録する。そして利用者が駅から出場する際には、入場する際に記録された駅を識別する情報に基づいて、その利用料金を算出する。そして決済方式がオートチャージ方式の場合には、ＩＣカード４内の残額を確認し、所定金額より少ない場合には予め定められた金額を自動的に充当し、更にそこから当該利用料金を減額する。そして当該ＩＣカード４に充当した金額とそのＩＣカード識別情報とを、後述する改札制御装置７に送信する。一方、決済方式が後払い方式の場合には、前記算出した利用料金とそのＩＣカード識別情報とを、後述する改札制御装置７に送信する。【００５２】  改札制御装置７は、各駅に少なくとも一以上設けられている装置であり、各自動改札機６の各種制御を行う装置である。例えば自動改札機６が読み取ったＩＣカード識別情報と交通機関の利用情報とを、後述する交通機関利用データベース１０に記録する装置である。【００５３】  決済方式がオートチャージ方式の場合には、自動改札機６から受信した、ＩＣカ��ド識別情報とそのＩＣカード４に充当した金額とを交通機関利用データベース１０に記録する。また決済方式が後払い方式の場合には、自動改札機６から受信したＩＣカード識別情報とそのＩＣカード４を有する利用者が利用した利用料金とを交通機関利用データベース１０に記録する。いずれの場合に於いても、管理装置８に対して所定期間毎にこのデータベースに記録したデータを送信すると良い。【００５４】  管理装置８は、交通機関の事業者に少なくとも一以上設けられている装置であり、各駅の改札制御装置７が交通機関利用データベース１０に記録した利用記録（ＩＣカード識別情報と充当金額／利用金額）と、後述する交通機関側仮想ＩＤデータベース９に基づいて、クレジットカード会社の決済機関側システム３に対して、ネットワーク５を介して交通機関の請求データを送信する装置である。【００５５】  決済方式がオートチャージ方式の場合には、交通機関利用データベース１０に記録されたＩＣカード識別情報と当該ＩＣカード４に充当した金額とを改札制御装置７から受信し、後述する交通機関側仮想ＩＤデータベース９に記録された、ＩＣカード識別情報に関連づけられた、そのカード利用者に対して予め付与されている仮想ＩＤを抽出し、抽出した仮想ＩＤと当該ＩＣカード４に充当した金額とを請求データとして、ネットワーク５を介して決済機関側システム３に送信する。【００５６】  決済方式が後払い方式の場合には、交通機関利用データベース１０に記録されたＩＣカード識別情報と当該ＩＣカード４を有する利用者が利用した利用料金とを改札制御装置７から受信し、後述する交通機関側仮想ＩＤデータベース９に記録された、ＩＣカード識別情報に関連づけられた、そのカード利用者に対して予め付与されている仮想ＩＤを抽出し、抽出した仮想ＩＤと当該ＩＣカード４の利用者が利用した料金とを請求データとして、ネットワーク５を介して決済機関側システム３に送信する。【００５７】  交通機関利用データベース１０は、決済方式がオートチャージ方式の場合には、ＩＣカード識別情報と当該ＩＣカード４に対して充当した金額を記録しているデータベースであり、決済方式が後払い方式の場合の場合には、ＩＣカード識別情報と当該ＩＣカード４の利用者が利用した利用料金とを記録しているデータベースである。図５に交通機関利用データベース１０の概念図を示す。図５（ａ）はオートチャージ方式の場合の概念図であり、図５（ｂ）は後払い方式の場合の概念図である。【００５８】  交通機関側仮想ＩＤデータベース９は、利用者に対して予め付与された仮想ＩＤとＩＣカード識別情報とを関連づけて記録しているデータベースである。図６に交通機関側仮想ＩＤデータベース９の概念図を示す。【００５９】  決済機関側システム３は、ネットワーク５を介して交通機関側システム２から請求データを受信し、その請求データから仮想ＩＤをクレジットカード番号に変換し、クレジットカードの利用記録として記録する。決済機関側システム３は、料金請求装置１１と決済機関側仮想ＩＤデータベース１２とクレジットカード利用データベース１３とを有している。尚、記録されたクレジットカードの利用記録は、公知の手法で、クレジットカードの利用として利��者に対して請求が為される。【００６０】  料金請求装置１１は、交通機関側システム２から受信した請求データに於ける仮想ＩＤを抽出し、その仮想ＩＤに関連づけられたクレジットカード番号を、後述する決済機関側仮想ＩＤデータベース１２から抽出し、当該抽出したクレジットカード番号の利用者のクレジットカードの利用記録として、当該請求データの金額をクレジットカード利用データベース１３に記録する装置である。【００６１】  決済機関側仮想ＩＤデータベース１２は、利用者に対して予め付与された仮想ＩＤとクレジットカード番号とを関連づけて記録しているデータベースである。図７に決済機関側仮想ＩＤデータベース１２の概念図を示す。【００６２】  クレジットカード利用データベース１３は、クレジットカード番号とその利用金額が記録されているデータベースである。図８にクレジットカード利用データベース１３の概念図を示す。
【実施例１】
【００６３】  次に図１（ａ）に示した場合の、本発明のプロセスの流れの一例を図２のフローチャート図、図１の概念図及び図４のシステム構成図を用いて詳細に説明する。【００６４】  交通機関を利用する利用者は、駅への入場の際にその自動改札機６にＩＣカード４を接触、又は非接触で読み取らせることによって、ＩＣカード４に入場時刻、入場した駅を識別する情報等をＩＣカード４に記録する。【００６５】  そして駅から出場する際に、改札口にある自動改札機６にＩＣカード４を、入場の際と同様に接触、又は非接触させることで、入場の際にＩＣカード４に記録された入場時刻、入場した駅を識別する情報を読み取る（Ｓ１００）。これを読み取ることで、当該利用者の利用料金を自動改札機６が算出する。【００６６】  この際に決済方式がオートチャージ方式の場合には、ＩＣカード４内の残額を確認し、所定金額より少ない場合には予め定められた金額を自動的に充当し、更にそこから当該利用料金を減額する。そして当該ＩＣカード４に充当した金額とそのＩＣカード４を識別する識別情報とを、その駅の改札制御装置７に送信する。従ってＩＣカード４の残額が所定金額より多い場合には、自動的に金額が充当されていないので、単に残額から利用料金を減額するのみである。【００６７】  一方、決済方式が後払い方式の場合には、ＩＣカード４から読み取った際に算出した利用料金とそのＩＣカード識別情報とを、改札制御装置７に送信する。【００６８】  改札制御装置７は、自動改札機６から送信された情報を受信し、交通機関利用データベース１０に記録する（Ｓ１１０）。決済方式がオートチャージ方式の場合には図５（ａ）のように記録し、後払い方式の場合には図５（ｂ）のように記録されている。【００６９】  図５（ａ）では、ＩＣカード識別情報が、「１１１１１」の利用者に対して１，０００円が自動的に充当され、「２２２２２」の利用者に対しては５００円が自動的に充当され、「３３３３３」の利用者に対しては２，０００円が自動的に充当されている。この充当する金額は利用者が、交通機関のＩＣカード４の利用申込の際に設定しても良いし、交通機関が予め定めていても良い。上述の例では利用者が設定している場合を例としている。【００７０】  例えば「１１１１１」の利用者のＩＣカード４の残額が３００円であり、５００円未満になったら自動的に充当することを設定している場合には、自動改札機６で出場する際にその残額が５００円未満であるので、１，０００円を自動的に充当し、そこから交通機関の利用料金、例えば３８０円を減額する。従って３００円＋１，０００円−３８０円＝９２０円がＩＣカード４の新たな残額として、自動改札機６によってＩＣカード４に記録される。また自動改札機６は、当該「１１１１１」の利用者に対して１，０００円を充当しているので、その情報（ＩＣカード識別情報「１１１１１」とその充当金額１，０００円の情報）を改札制御装置７に送信し、改札制御装置７がそれを交通機関利用データベース１０に記録する。【００７１】  一方図５（ｂ）では、ＩＣカード識別情報が、「１１１１１」の利用者は３８０円の利用料金（乗車料金）であるので、自動改札機６は、その情報（ＩＣカード識別情報「１１１１１」とその利用料金３８０円の情報）を改札制御装置７に送信する。改札制御装置７はそれを交通機関利用データベース１０に記録する。【００７２】  このような自動改札機６から改札制御装置７への情報の送信はリアルタイム処理で行われても良いし、バッチ処理で行われても良い。【００７３】  改札制御装置７は、所定期間毎或いは不定期に、交通機関利用データベース１０に記録された情報を管理装置８に対して送信する。そして受信した情報に基づいて、管理装置８は、交通機関側仮想ＩＤデータベース９を検索し、当該ＩＣカード識別情報に関連づけられた仮想ＩＤを抽出する（Ｓ１２０）。抽出した仮想ＩＤと、その充当金額又は利用料金を、請求データとして、ネットワーク５を介して決済機関側システム３に送信する（Ｓ１３０）。尚、この請求データの作成、決済機関側システム３への送信は、日毎、週毎、月毎等、各種のタイミングで行って良い。【００７４】  管理装置８は、決済方式がオートチャージ方式の場合には、交通機関利用データベース１０に記録されたＩＣカード識別情報と当該ＩＣカード４に充当した金額とを改札制御装置７から受信する。例えば図５（ａ）の場合、「１１１１１」の識別情報と充当金額１，０００円の情報、「２２２２２」の識別情報と充当金額５００円の情報、「３３３３３」の識別情報と充当金額２，０００円の情報等、各識別情報に対する充当金額を受信する。そして、管理装置８は、交通機関側仮想ＩＤデータベース９に記録されている「１１１１１」に関連づけられた仮想ＩＤ「Ａ」、「２２２２２」に関連づけられた仮想ＩＤ「Ｂ」、「３３３３３」に関連づけられた仮想ＩＤ「Ｃ」を抽出し、仮想ＩＤ「Ａ」と充当金額１，０００円、仮想ＩＤ「Ｂ」と充当金額５００円、仮想ＩＤ「Ｃ」と充当金額２，０００円を請求データとして決済機関側システム３に送信する。【００７５】  一方、決済方式が後払い方式の場合には、交通機関利用データベース１０に記録されたＩＣカード識別情報と当該ＩＣカード４の利用金額とを改札制御装置７から受信する。例えば図５（ｂ）の場合、「１１１１１」の識別情報と利用金額３８０円の情報、「２２２２２」の識別情報と利用金額５１０円の情報、「３３３３３」の識別情報と利用金額１，０４０円の情報等、各識別情報に対する利用金額を受信する。そして、管理装置８は、交通機関側仮想ＩＤデータベース９に記録されている「１１１１１」に関連づけられた仮想ＩＤ「Ａ」、「２２２２２」に関連づけられた仮想ＩＤ「Ｂ」、「３３３３３」に関連づけられた仮想ＩＤ「Ｃ」を抽出し、仮想ＩＤ「Ａ」と利用金額１，０００円、仮想ＩＤ「Ｂ」と利用金額５１０円、仮想ＩＤ「Ｃ」と利用金額１，０４０円を請求データとして決済機関側システム３に送信する。【００７６】  決済機関側システム３は、請求データをネットワーク５を介して交通機関側システム２から受信する（Ｓ１４０）。請求データを受信した決済機関側システム３は、料金請求装置１１が、受信した請求データに於ける仮想ＩＤを抽出し、その仮想ＩＤに関連づけられたクレジットカード番号を決済機関側仮想ＩＤデータベース１２から抽出する（Ｓ１５０）。【００７７】  上述の例に於いて、料金請求装置１１は、図７の決済機関側仮想ＩＤデータベース１２を検索し、仮想ＩＤ「Ａ」に関連づけられたクレジットカード番号「１２３４−５６７８−９０１２−３４５６」、仮想ＩＤ「Ｂ」に関連づけられたクレジットカード番号「０９８７−６５４３−２１０９−８７６５」、仮想ＩＤ「Ｃ」に関連づけられたクレジットカード番号「４３２１−８７６５−２１０９−６５４３」等を抽出する。【００７８】  Ｓ１５０でクレジットカード番号を抽出後、そのクレジットカード番号と充当金額／利用料金とを料金請求装置１１がクレジットカード利用データベース１３に、クレジットカードの利用として記録する（Ｓ１６０）。【００７９】  決済方式がオートチャージ方式の場合には、仮想ＩＤ「Ａ」に関連づけられたクレジットカード番号「１２３４−５６７８−９０１２−３４５６」とその充当金額「１，０００円」を、仮想ＩＤ「Ｂ」に関連づけられたクレジットカード番号「０９８７−６５４３−２１０９−８７６５」とその充当金額「５００円」を、仮想ＩＤ「Ｃ」に関連づけられたクレジットカード番号「４３２１−８７６５−２１０９−６５４３」とその充当金額「２，０００円」を図８（ａ）に示すように記録する。【００８０】  一方決済方式が後払い方式の場合には、仮想ＩＤ「Ａ」に関連づけられたクレジットカード番号「１２３４−５６７８−９０１２−３４５６」とその利用金額「３８０円」を、仮想ＩＤ「Ｂ」に関連づけられたクレジットカード番号「０９８７−６５４３−２１０９−８７６５」とその利用金額「５１０円」を、仮想ＩＤ「Ｃ」に関連づけられたクレジットカード番号「４３２１−８７６５−２１０９−６５４３」とその利用金額「１，０４０円」を図８（ｂ）に示すように記録する。【００８１】  このようにしてクレジットカード利用データベース１３に各利用者毎の金額を記録後、公知のクレジットカードの請求方法と同様に、所定時期に利用者に対して請求を行う（Ｓ１７０）。【００８２】  以上のような構成、処理プロセスすることで、利用者がＩＣカード４を紛失し再発行手続等を行ったことによって、ＩＣカード識別情報が変更された場合であっても、交通機関の事業者はＩＣカード識別情報の変更が行われたことを決済機関に対して送信する必要がなく、交通機関の事業者が交通機関側システム２に於ける、交通機関側仮想ＩＤデータベース９のＩＣカード識別情報と仮想ＩＤとの関連づけを変更するのみで済む。
【実施例２】
【００８３】  又、上述に説明した場合の他にも、図１（ｂ）に示すように、一人の利用者が複数のＩＣカード４を利用し、その利用金額は一つのクレジットカードによって行う場合であっても良い。このような場合、各交通機関には、上述した交通機関側システム２が設けられている。又利用者Ｘに対しては決済システム１全体で一つの仮想ＩＤ、即ち各社共通の仮想ＩＤを予め付与されていることとなる。例えばＡ社のＩＣカード識別情報が「１１１１１」、その仮想ＩＤが「Ａ」として関連づけられており、同一の利用者ＸのＢ社のＩＣカード識別情報が「ａａａａａ」、その仮想ＩＤが「Ａ」として関連づけられていることとなる。即ちＡ社及びＢ社の双方に於いて利用者ＸのＩＣカード識別情報は仮想ＩＤ「Ａ」に関連づけられている。このような場合の交通機関側仮想ＩＤデータベース９の概念図を図９に示す。図９（ａ）はＡ社の交通機関側仮想ＩＤデータベース９であり、図９（ｂ）はＢ社の交通機関側仮想ＩＤデータベース９である。【００８４】  以上のように構成することによって、各社は独自にその処理を行うことが出来る。従って利用者が例えばＡ社のＩＣカード４を紛失した場合には、Ａ社が自らの交通機関側仮想ＩＤデータベース９に於けるＩＣカード識別情報と仮想ＩＤとの関連づけを変更するのみであり、利用者がＢ社のＩＣカード４を紛失した場合には、Ｂ社が自らの交通機関側仮想ＩＤデータベース９に於けるＩＣカード識別情報と仮想ＩＤとの関連づけを変更するのみである。【００８５】  複数の交通機関側システム２があったとしても、決済機関側システム３に対して送信される請求データでは、決済システム１で利用者（ＩＣカード４）に対して共通の仮想ＩＤとその金額のみであるので、決済機関側システム３は一社しか交通機関側システム２が存在しない場合と同様の処理を各々行えばよい。【００８６】  また、利用者は交通機関毎に複数のＩＣカード４を用いるのではなく、一枚のＩＣカード４に複数の交通機関毎の事業者のＩＣカード識別情報、残額等を記録可能としておくことにより、交通機関毎のＩＣカード４を持たずに済む。【００８７】  尚、このような複数の交通機関は、日本国内の交通機関のみに限定するものではなく、海外の交通機関と日本国内の交通機関とがＩＣカード４の相互利用に関する提携等を締結していることによって、本決済システム１を同様に利用することも可能である。この場合、海外の交通機関の請求については現地通貨で行われても良いし、それを決済機関側システム３が換算レートを用いて自動的に日本円に換算し、請求を行っても良い。このようにすることで、日本の利用者が海外の交通機関を利用した際に、海外の交通機関でもオートチャージ方式或いは後払い方式による決済方式によって交通機関を利用し、その支払はクレジットカードで後日行うことも可能となる。
【実施例３】
【００８８】  更に、上述の複数のＩＣカード４は、同一の利用者が所持することにも限定されない。即ち、例えば家族で異なるＩＣカード４を各々が所持、利用をしており、その請求のみを一つのクレジットカード番号で行っても良い。【００８９】  つまり、決済機関側仮想ＩＤデータベース１２に於いて、一つのクレジットカード番号と複数の仮想ＩＤとを関連づけておくことにより、まとめて請求が可能となる。このような場合の決済機関側仮想ＩＤデータベース１２の概念図を図１０に示す。
例えばＩＣカード識別情報「２２２２２」が記録されているＩＣカード４を有する利用者ＸとＩＣカード識別情報「４４４４４」が記録されているＩＣカード４を有する利用者Ｙとが存在している場合に於いて、利用者Ｘと利用者Ｙとが同一のクレジットカード番号「０９８７−６５４３−２１０９−８７６５」から支払を行うことを予め申し込んでいる場合には、その決済機関側仮想ＩＤデータベース１２は、図１０のように仮想ＩＤ「Ｂ」及び仮想ＩＤ「Ｄ」に関連づけられたクレジットカード番号は「０９８７−６５４３−２１０９−８７６５」として記録されていることとなる。【００９０】  これによって、仮想ＩＤ「Ｂ」に関する請求データ、仮想ＩＤ「Ｄ」に関する請求データを交通機関側システム２から受信したとしても、同一のクレジットカード番号「０９８７−６５４３−２１０９−８７６５」から支払を行うことが可能となる。
【実施例４】
【００９１】  実施例１から実施例３の場合の決済システム１に於いて、交通機関側仮想ＩＤデータベース９、決済機関側仮想ＩＤデータベース１２を交通機関側システム２、決済機関側システム３とは別のシステムである共同センターシステム１４内に設けても良い。この場合の概念図を図１１（ａ）及び図１１（ｂ）に示す。【００９２】  図１１（ａ）の概念図は、共同センターシステム１４内に、図４の交通機関側仮想ＩＤデータベース９と同様のデータベースである共同センター仮想ＩＤデータベース１５を設けた場合であり、図１１（ｂ）の概念図は、共同センターシステム１４内に、図４の交通機関側仮想ＩＤデータベース９と決済機関側仮想ＩＤデータベース１２とが一つになったデータベース、つまりＩＣカード識別情報と仮想ＩＤとクレジットカード番号とが関連づけられた統合仮想ＩＤデータベース１６がある場合である。図１１（ａ）の場合のシステム構成図を図１３に示し、図１１（ｂ）の場合のシステム構成図を図１４に示す。【００９３】  まず図１１（ａ）の場合のシステム構成の一例を、図１３のシステム構成図を用いて説明する。尚、実施例１の説明と重複する部分については説明を省略する。【００９４】  ＩＣカード４は、利用者が交通機関を利用する際に用いる接触型、非接触型の乗車カードであり、実施例１の場合と同様に、ＩＣチップが具備されており、ＩＣカード識別情報と金額が記録されている。【００９５】  交通機関側システム２は、自動改札機６と改札制御装置７と管理装置８と交通機関利用データベース１０とを有している。【００９６】  自動改札機６、改札制御装置７、交通機関利用データベース１０は、実施例１の場合と同様である。【００９７】  管理装置８は、交通機関の事業者に少なくとも一以上設けられている装置であり、各駅の改札制御装置７が交通機関利用データベース１０に記録した利用記録（ＩＣカード識別情報と充当金額／利用金額）に於けるＩＣカード識別情報に関連づけられた仮想ＩＤを、共同センターシステム１４に対して問い合わせ、共同センターシステム１４から受信した仮想ＩＤと充当金額／利用金額とを請求データとしてクレジットカード会社の決済機関側システム３に対して、ネットワーク５を介して送信する装置である。【００９８】  決済方式がオートチャージ方式の場合には、交通機関利用データベース１０に記録されたＩＣカード識別情報と当該ＩＣカード４に充当した金額とを改札制御装置７から受信し、ＩＣカード識別情報を共同センターシステム１４に対して送信することで、当該ＩＣカード識別情報に関連づけられた仮想ＩＤを問い合わせ、共同センターシステム１４から問い合わせ結果である仮想ＩＤを受信する。そして受信した仮想ＩＤと当該充当した金額とを請求データとして、ネットワーク５を介して決済機関側システム３に送信する。【００９９】  決済方式が後払い方式の場合には、交通機関利用データベース１０に記録されたＩＣカード識別情報と当該ＩＣカード４を有する利用者が利用した利用料金とを改札制御装置７から受信し、ＩＣカード識別情報を共同センターシステム１４に対して送信することで、当該ＩＣカード識別情報に関連づけられた仮想ＩＤを問い合わせ、共同センターシステム１４から問い合わせ結果である仮想ＩＤを受信する。そして受信した仮想ＩＤと当該利用料金とを請求データとして、ネットワーク５を介して決済機関側システム３に送信する。【０１００】  共同センターシステム１４は、交通機関側システム２とネットワーク５を介してデータの送受信が可能なシステムであって、共同センター仮想ＩＤデータベース１５を有する。【０１０１】  共同センター仮想ＩＤデータベース１５は、実施例１の交通機関側仮想ＩＤデータベース９と同様であり、利用者に対して予め付与された仮想ＩＤとＩＣカード識別情報とを関連づけて記録しているデータベースである。従って共同センター仮想ＩＤデータベース１５の概念図は、図６と同様である。【０１０２】  共同センターシステム１４は、交通機関側システム２から受信したＩＣカード識別情報に基づいて、共同センター仮想ＩＤデータベース１５から当該ＩＣカード識別情報に関連づけられた仮想ＩＤを抽出し、それを交通機関側システム２に送信する。【０１０３】  決済機関側システム３は、ネットワーク５を介して交通機関側システム２から請求データを受信し、その請求データから仮想ＩＤをクレジットカード番号に変換し、クレジットカードの利用記録として記録する。決済機関側システム３は、料金請求装置１１と決済機関側仮想ＩＤデータベース１２とクレジットカード利用データベース１３とを有しており、決済機関側システム３、料金請求装置１１、決済機関側仮想ＩＤデータベース１２、クレジットカード利用データベース１３は、実施例１の決済機関側システム３と同様である。【０１０４】  次に図１１（ａ）に示した場合の、本発明のプロセスの流れの一例を図１５のフローチャート図、図１１（ａ）の概念図、図１３のシステム構成図を用いて説明する。【０１０５】  利用者がＩＣカード４を自動改札機６に読み取らせ、オートチャージ方式又は後払い方式での利用の際に、改札制御装置７が交通機関利用データベース１０に充当金額／利用金額を記録するまでのプロセス、即ちＳ２００及びＳ２１０は、実施例１のＳ１００及びＳ１１０と同様である。【０１０６】  改札制御装置７は、所定期間毎或いは不定期に、交通機関利用データベース１０に記録された情報を管理装置８に対して送信する。そして管理装置８は、受信した情報（ＩＣカード識別情報、充当金額／利用金額）のうち、ＩＣカード識別情報を共同センターに送信することによって、ＩＣカード識別情報に関連づけられた仮想ＩＤを、共同センターシステム１４に対して問い合わせる（Ｓ２２０）。【０１０７】  ＩＣカード識別情報を受信した共同センターは、共同センター仮想ＩＤデータベース１５から当該ＩＣカード識別情報に関連づけられた仮想ＩＤを抽出し、それを交通機関側システム２に結果として送信する。【０１０８】  交通機関側システム２の管理装置８は、共同センターシステム１４が送信した仮想ＩＤを受信し（Ｓ２３０）、その仮想ＩＤと充当金額／利用金額とを請求データとしてクレジットカード会社の決済機関側システム３に対して、ネットワーク５を介して送信する（Ｓ２４０）。【０１０９】  決済方式がオートチャージ方式の場合には、交通機関利用データベース１０に記録されたＩＣカード識別情報と���該ＩＣカード４に充当した金額とを改札制御装置７から受信し、ＩＣカード識別情報を共同センターシステム１４に対して送信することで、当該ＩＣカード識別情報に関連づけられた仮想ＩＤを問い合わせ、共同センターシステム１４から問い合わせ結果である仮想ＩＤを受信する。【０１１０】  例えば交通機関利用データベース１０が図５（ａ）と同様の場合、「１１１１１」のＩＣカード識別情報を共同センターシステム１４に対して送信し、それを受信した共同センターシステム１４は、「１１１１１」、「２２２２２」、「３３３３３」の各ＩＣカード識別情報に関連づけられた各仮想ＩＤ「Ａ」、「Ｂ」、「Ｃ」を共同センター仮想ＩＤデータベース１５から抽出する（共同センター仮想ＩＤデータベース１５の内容は図６の交通機関側仮想ＩＤデータベース９と同一であったとする）。そして抽出した各仮想ＩＤ「Ａ」、「Ｂ」、「Ｃ」を共同センターシステム１４は交通機関側システム２に送信し、それを管理装置８が受信する。管理装置８は、仮想ＩＤ「Ａ」と充当金額「１，０００円」、仮想ＩＤ「Ｂ」と充当金額「５００円」、仮想ＩＤ「Ｃ」と充当金額「２，０００円」とを請求データとして決済機関側システム３に送信する。【０１１１】  決済方式が後払い方式の場合には、交通機関利用データベース１０に記録されたＩＣカード識別情報と当該ＩＣカード４に利用料金とを改札制御装置７から受信し、ＩＣカード識別情報を共同センターシステム１４に対して送信することで、当該ＩＣカード識別情報に関連づけられた仮想ＩＤを問い合わせ、共同センターシステム１４から問い合わせ結果である仮想ＩＤを受信する。【０１１２】  例えば交通機関利用データベース１０が図５（ｂ）と同様の場合、「１１１１１」のＩＣカード識別情報を共同センターシステム１４に対して送信し、それを受信した共同センターシステム１４は、「１１１１１」、「２２２２２」、「３３３３３」の各ＩＣカード識別情報に関連づけられた各仮想ＩＤ「Ａ」、「Ｂ」、「Ｃ」を共同センター仮想ＩＤデータベース１５から抽出する（共同センター仮想ＩＤデータベース１５の内容は図６の交通機関側仮想ＩＤデータベース９と同一であったとする）。そして抽出した各仮想ＩＤ「Ａ」、「Ｂ」、「Ｃ」を共同センターシステム１４は交通機関側システム２に送信し、それを管理装置８が受信する。管理装置８は、仮想ＩＤ「Ａ」と利用料金「３８０円」、仮想ＩＤ「Ｂ」と利用料金「５１０円」、仮想ＩＤ「Ｃ」と利用料金「１，０４０円」とを請求データとして決済機関側システム３に送信する。【０１１３】  決済機関側システム３は、請求データをネットワーク５を介して交通機関側システム２から受信する（Ｓ２５０）。請求データを受信した決済機関側システム３は、料金請求装置１１が受信した請求データに於ける仮想ＩＤを抽出し、その仮想ＩＤに関連づけられたクレジットカード番号を、決済機関側仮想ＩＤデータベース１２から抽出する（Ｓ２６０）。【０１１４】  上述の例に於いて、料金請求装置１１は、図７の決済機関側仮想ＩＤデータベース１２を検索し、仮想ＩＤ「Ａ」に関連づけられたクレジットカード番号「１２３４−５６７８−９０１２−３４５６」、仮想ＩＤ「Ｂ」に関連づけられたクレジットカード番号「０９８７−６５４３−２１０９−８７６５」、仮想ＩＤ「Ｃ」に関連づけられたクレジットカード番号「４３２１−８７６５−２１０９−６５４３」等を抽出する。【０１１５】  Ｓ２６０でクレジットカード番号を抽出後、そのクレジットカード番号と充当金額／利用料金とを請求装置がクレジットカード利用データベース１３に、クレジットカードの利用として記録する（Ｓ２７０）。【０１１６】  決済方式がオートチャージ方式の場合には、仮想ＩＤ「Ａ」に関連づけられたクレジットカード番号「１２３４−５６７８−９０１２−３４５６」とその充当金額「１，０００円」を、仮想ＩＤ「Ｂ」に関連づけられたクレジットカード番号「０９８７−６５４３−２１０９−８７６５」とその充当金額「５００円」を、仮想ＩＤ「Ｃ」に関連づけられたクレジットカード番号「４３２１−８７６５−２１０９−６５４３」とその充当金額「２，０００円」を図８（ａ）に示すように記録する。【０１１７】  一方決済方式が後払い方式の場合には、仮想ＩＤ「Ａ」に関連づけられたクレジットカード番号「１２３４−５６７８−９０１２−３４５６」とその利用金額「３８０円」を、仮想ＩＤ「Ｂ」に関連づけられたクレジットカード番号「０９８７−６５４３−２１０９−８７６５」とその利用金額「５１０円」を、仮想ＩＤ「Ｃ」に関連づけられたクレジットカード番号「４３２１−８７６５−２１０９−６５４３」とその利用金額「１，０４０円」を図８（ｂ）に示すように記録する。【０１１８】  このようにしてクレジットカード利用データベース１３に各利用者毎の金額を記録後、公知のクレジットカードの請求方法と同様に、所定時期に利用者に対して請求を行う（Ｓ２８０）。【０１１９】  以上のような構成、処理プロセスすることで、利用者がクレジットカード番号を紛失し再発行手続等を行ったことによって、クレジットカード番号が変更された場合であっても、交通機関の事業者での変更作業は不要となる。又クレジットカード番号を交通機関の事業者で保持しない為、利用者の安心感が高まる。
【実施例５】
【０１２０】  上述のように共同センターシステム１４を設ける場合に於いて、決済機関側仮想ＩＤデータベース１２を決済機関側システム３に設けるのではなく、共同センターシステム１４内に設けても良い。この場合が上述したように図１１（ｂ）の場合である。図１１（ｂ）の場合のシステム構成図を図１４のシステム構成図に示す。【０１２１】  図１４のシステム構成図に於いて、交通機関側システム２は、上述の実施例４の交通機関側システム２と同様である。【０１２２】  共同センターシステム１４は、交通機関側システム２及び決済機関側システム３とネットワーク５を介してデータの送受信が可能なシステムであって、統合仮想ＩＤデータベース１６を有する。【０１２３】  統合仮想ＩＤデータベース１６は、実施例１の交通機関側仮想ＩＤデータベース９と決済機関側仮想ＩＤデータベース１２とが一つになったデータベース、つまりＩＣカード識別情報と仮想ＩＤとクレジットカード番号とが関連づけられたデータベースである。図２３に統合仮想ＩＤデータベース１６の概念図を示す。【０１２４】  共同センターシステム１４は、交通機関側システム２から受信したＩＣカード識別情報に基づいて、統合仮想ＩＤデータベース１６から当該ＩＣカード識別情報に関連づけられた仮想ＩＤを抽出し、それを交通機関側システム２に送信する。又決済機関側システム３から受信した仮想ＩＤに基づいて、統合仮想ＩＤデータベース１６から当該仮想ＩＤに関連づけられたクレジットカード番号を抽出し、それを決済機関側システム３に送信する。【０１２５】  決済機関側システム３は、ネットワーク５を介して交通機関側システム２から請求データを受信し、その請求データに於ける仮想ＩＤを抽出し、それを共同センターシステム１４に送信することで、仮想ＩＤに関連づけられたクレジットカード番号の問い合わせを行い、当該クレジットカード番号を受信する。そしてクレジットカード番号の利用記録として、請求データに於ける充当金額／利用料金を、クレジットカード利用データベース１３に記録する装置である。決済機関側システム３は、料金請求装置１１とクレジットカード利用データベース１３とを有する。【０１２６】  料金請求装置１１は、交通機関側システム２から受信した請求データに於ける仮想ＩＤを抽出し、その仮想ＩＤを共同センターシステム１４に送信することによって、仮想ＩＤに関連づけられたクレジットカード番号の問い合わせを行う。そして共同センターシステム１４から、仮想ＩＤに関連づけられたクレジットカード番号を受信し、受信したクレジットカード番号の利用者のクレジットカードの利用記録として、当該請求データの金額をクレジットカード利用データベース１３に記録する装置である。【０１２７】  クレジットカード利用データベース１３は、実施例１の場合と同様であり、クレジットカード番号とその利用金額が記録されているデータベースである。【０１２８】  次に図１１（ｂ）に示した場合の、本発明のプロセスの流れの一例を図１６のフローチャート図、図１１（ｂ）の概念図、図１４のシステム構成図を用いて説明する。【０１２９】  利用者がＩＣカード４を自動改札機６に読み取らせた後、、オートチャージ方式又は後払い方式���の利用が行われ、請求データを交通機関側システム２が決済機関側システム３に送信するまでのプロセス、即ちＳ３００からＳ３４０は、実施例４のＳ２００からＳ２４０と同様であり、共同センターシステム１４の共同センター仮想ＩＤデータベース１５が、統合仮想ＩＤデータベース１６に変わるのみである。従ってＳ３００からＳ３４０の説明は省略する。【０１３０】  決済機関側システム３は、請求データをネットワーク５を介して交通機関側システム２から受信する（Ｓ３５０）。請求データを受信した決済機関側システム３は、料金請求装置１１が受信した請求データに於ける仮想ＩＤを抽出し、抽出した仮想ＩＤを共同センターシステム１４に送信することで、仮想ＩＤに関連づけられたクレジットカード番号の問い合わせを行う（Ｓ３６０）。【０１３１】  決済機関側システム３から仮想ＩＤを受信した共同センターシステム１４は、受信した仮想ＩＤに関連づけられたクレジットカード番号を、統合仮想ＩＤデータベース１６から抽出し、その仮想ＩＤを決済機関側システム３に送信する。その仮想ＩＤは決済機関側システム３の料金請求装置１１が受信する（Ｓ３７０）。【０１３２】  上述の例に於いて、共同センターシステム１４は、図２３の決済機関側仮想ＩＤデータベース１２を検索し、仮想ＩＤ「Ａ」に関連づけられたクレジットカード番号「１２３４−５６７８−９０１２−３４５６」、仮想ＩＤ「Ｂ」に関連づけられたクレジットカード番号「０９８７−６５４３−２１０９−８７６５」、仮想ＩＤ「Ｃ」に関連づけられたクレジットカード番号「４３２１−８７６５−２１０９−６５４３」等を抽出し、この抽出した各クレジットカード番号を共同センターシステム１４が決済機関側システム３に送信する。【０１３３】  Ｓ３７０でクレジットカード番号を抽出後、そのクレジットカード番号と充当金額／利用料金とを請求装置がクレジットカード利用データベース１３に、クレジットカードの利用として記録する（Ｓ３８０）。【０１３４】  決済方式がオートチャージ方式の場合には、仮想ＩＤ「Ａ」に関連づけられたクレジットカード番号「１２３４−５６７８−９０１２−３４５６」とその充当金額「１，０００円」を、仮想ＩＤ「Ｂ」に関連づけられたクレジットカード番号「０９８７−６５４３−２１０９−８７６５」とその充当金額「５００円」を、仮想ＩＤ「Ｃ」に関連づけられたクレジットカード番号「４３２１−８７６５−２１０９−６５４３」とその充当金額「２，０００円」を図８（ａ）に示すように記録する。【０１３５】  一方決済方式が後払い方式の場合には、仮想ＩＤ「Ａ」に関連づけられたクレジットカード番号「１２３４−５６７８−９０１２−３４５６」とその利用金額「３８０円」を、仮想ＩＤ「Ｂ」に関連づけられたクレジットカード番号「０９８７−６５４３−２１０９−８７６５」とその利用金額「５１０円」を、仮想ＩＤ「Ｃ」に関連づけられたクレジットカード番号「４３２１−８７６５−２１０９−６５４３」とその利用金額「１，０４０円」を図８（ｂ）に示すように記録する。【０１３６】  このようにしてクレジットカード利用データベース１３に各利用者毎の金額を記録後、公知のクレジットカードの請求方法と同様に、所��時期に利用者に対して請求を行う（Ｓ３９０）。【０１３７】  以上のような構成、処理プロセスすることで、利用者がクレジットカード番号又はＩＣカード４を紛失し再発行手続等を行ったことによって、クレジットカード番号又はＩＣカード識別情報が変更された場合であっても、利用者はその届出を共同センター（共同センターシステム１４）のみに行えば良く、変更作業が一度で済むこととなる。又クレジットカード番号を交通機関の事業者で保持しない為、利用者の安心感が高まる。
【実施例６】
【０１３８】  更に実施例４及び実施例５に於いては、図１２の概念図に示すように、一人の利用者が複数のＩＣカード４を利用し、その利用金額は一つのクレジットカードによって行うこととしても良い。即ち実施例２の場合と同様に、各交通機関には、実施例４、実施例５の交通機関側システム２が設けられている。又利用者に対して決済システム１全体で一つの仮想ＩＤ、即ち各社共通の仮想ＩＤが予め付与されていることとなる。例えば、Ａ社のＩＣカード識別情報が「１１１１１」、その仮想ＩＤが「Ａ」として関連づけられており、同一の利用者のＢ社のＩＣカード識別情報が「ａａａａａ」、その仮想ＩＤが「Ａ」として関連づけられていることとなる。即ちＡ社及びＢ社の双方に於いて利用者のＩＣカード識別情報は仮想ＩＤに関連づけられている。このような場合の共同センター仮想ＩＤデータベース１５、統合仮想ＩＤデータベース１６の概念図を図２４、図２５に示す。【０１３９】  図２４の共同センター仮想ＩＤデータベース１５は、各交通事業者のＩＣカード識別情報と仮想ＩＤとが関連づけられているデータベースであり、図２５の統合仮想ＩＤデータベース１６は、各交通事業者のＩＣカード識別情報と仮想ＩＤとクレジットカード番号とが関連づけられているデータベースである。【０１４０】  このようなデータベースを共同センターシステム１４に設けることにより、実施例４、実施例５と同様の処理を各交通事業者毎に行えば、決済機関側システム３は、一社の交通機関側システム２の場合と同様の処理で、複数のＩＣカード４を利用し、その利用金額は一つのクレジットカードによって支払うことを行える。【０１４１】  図２４のように構成された共同センター仮想ＩＤデータベース１５を共同センターシステム１４に設けることによって（即ち図１２（ａ）の場合）、利用者がクレジットカードを紛失したことによってそのクレジットカード番号が変更された場合には、利用者は決済機関側システム３に対してその通知を行えばよい。【０１４２】  又図２５のように構成された統合仮想ＩＤデータベース１６を共同センターシステム１４に設けることによって（即ち図１２（ｂ）の場合）、利用者がクレジットカード又はＩＣカード４を紛失等したことによって、クレジットカード番号又はＩＣカード識別情報の変更が行われたとしても、共同センターシステム１４にその通知を行えばよい。その場合共同センターシステム１４は変更が行われたクレジットカード番号又はＩＣカード識別情報のみの変更作業を行えばよい。【０１４３】  このような図１２の場合、実施例２と同様に、複数の交通機関は日本国内の交通機関のみに限定されるものではなく、海外の交通機関と日本国内の交通機関とがＩＣカード４の相互利用に関する提携等を締結することによって、本決済システム１を同様に利用することも可能である。この場合、海外の交通機関の請求については現地通貨で行われても良いし、それを決済機関側システム３が換算レートを用いて自動的に日本円に換算し、請求を行っても良い。このようにすることで、日本の利用者が海外の交通機関を利用した際に、海外の交通機関でもオートチャージ方式又は後払い方式による決済方式によって交通機関を利用し、その支払はクレジットカードで後日行うことも可能となる。
【実施例７】
【０１４４】  更に、実施例３と同様に、上述の複数のＩＣカード４は、同一の利用者が所持することにも限定されない。即ち、例えば家族で異なるＩＣカード４を各々が所持、利用をしており、その請求のみを一つのクレジットカード番号で行っても良い。【０１４５】  つまり、決済機関側仮想ＩＤデータベース１２（図１２（ａ）の場合）又は統合仮想ＩＤデータベース１６（図１２（ｂ）の場合）に於いて、一つのクレジットカード番号と複数の仮想ＩＤとを関連づけておくことにより、まとめて請求が可能となる。このような場合の決済機関側仮想ＩＤデータベース１２の概念図は図１０と同様であり、統合仮想ＩＤデータベース１６の概念図を図２６に示す。【０１４６】  例えばＩＣカード識別情報「２２２２２」が記録されているＩＣカード４を有する利用者ＸとＩＣカード識別情報「４４４４４」が記録されているＩＣカード４を有する利用者Ｙとが存在している場合に於いて、利用者Ｘと利用者Ｙとが同一のクレジットカード番号「０９８７−６５４３−２１０９−８７６５」から支払を行うことを予め申し込んでいる場合には、その決済機関側仮想ＩＤデータベース１２１２又は統合仮想ＩＤデータベース１６は、図１０又は図２６のように仮想ＩＤ「Ｂ」及び仮想ＩＤ「Ｄ」に関連づけられたクレジットカード番号は「０９８７−６５４３−２１０９−８７６５」として記録されていることとなる。【０１４７】  これによって、仮想ＩＤ「Ｂ」に関する請求データ、仮想ＩＤ「Ｄ」に関する請求データを交通機関側システム２から受信したとしても、同一のクレジットカード番号「０９８７−６５４３−２１０９−８７６５」から支払を行うことが可能となる。
【実施例８】
【０１４８】  実施例１から実施例７は、交通機関事業者のみに限定されるものではなく、一般的な事業者、例えば携帯電話会社等の電話料金のクレジットカードによる支払等に用いることも出来る。この場合の概念図を図１７及び図１８に示す。図１７は、事業者が共同センターシステム１４に記録されている仮想ＩＤを用いることによって、決済機関側システム３に対してクレジットカード番号ではなく、仮想ＩＤと料金とを送信する場合であり、図１８は複数の事業者間で同一の仮想ＩＤを用いて決済機関側システム３に対して仮想ＩＤを送信する場合である。更に図１７（ａ）及び図１８（ａ）は、図１７及び図１８に於いて、事業者側の利用者識別情報と仮想ＩＤとを共同センターシステム１４で記録している場合であり、図１７（ｂ）及び図１８（ｂ）は図１７及び図１８に於いて、事業者側の利用者識別情報とクレジットカード番号と仮想ＩＤとを共同センターシステム１４で記録している場合である。【０１４９】  まず図１７の概念図は、利用者が事業者の提供するサービス等を享受した、例えば事業者が携帯電話会社である場合、利用者が携帯電話を利用することによって生じる場合、その料金をクレジットカード決済で行う場合の概念図である。【０１５０】  図１７（ａ）の概念図の場合のシステム構成を図１９のシステム構成図を用いて説明する。【０１５１】  事業者システム１７は、利用者に対して何らかのサービスを提供することによってその対価を利用者から徴収している事業者、例えば携帯電話会社等、が有するシステムであり、売上管理装置１８と事業者売上データベース１９とを有している。【０１５２】  事業者売上データベース１９は、利用者に対して提供したサービスの対価を利用者を識別する利用者識別情報に関連づけて記録しているデータベースである。例えば事業者が携帯電話会社である場合、利用者の携帯電話番号や顧客番号と、その利用者の携帯電話利用料金とを関連づけて記録している。図２７に事業者売上データベース１９の概念図を示す。【０１５３】  売上管理装置１８は、クレジットカード会社等の有する決済機関側システム３に対して決済を行う為の請求データを送信する際に、事業者売上データベース１９から利用者識別情報と利用料金とを抽出し、利用者識別情報を共同センターシステム１４に対して送信することによって、利用者識別情報が関連づけられた仮想ＩＤの問い合わせを行い、共同センターシステム１４から仮想ＩＤを受信し、仮想ＩＤと当該利用者の利用料金とを請求データとして決済機関側システム３に送信する装置である。【０１５４】  共同センターシステム１４は、事業者システム１７とネットワーク５を介してデータの送受信が可能なシステムであって、事業者仮想ＩＤデータベース２０を有する。【０１５５】  事業者仮想ＩＤデータベース２０は、利用者を識別する利用者識別情報と利用者に対して予め決済システム１１から付与された仮想ＩＤとを関連づけて記録しているデータベースである。図２８に事業者仮想ＩＤデータベース２０の概念図を示す。【０１５６】  共同センターシステム１４は、事業者システム１７から受信した利用者識別情報に基づいて、事業者仮想ＩＤデータベース２０から当該利用者識別情報に関連づけられた仮想ＩＤを抽出し、それを事業者システム１７に送信する。【０１５７】  決済機関側システム３は、ネットワーク５を介して事業者システム１７から請求データを受信し、その請求データから仮想ＩＤをクレジットカード番号に変換し、クレジットカードの利用記録として記録する。決済機関側システム３は、料金請求装置１１と決済機関側仮想ＩＤデータベース１２とクレジットカード利用データベース１３とを有している。尚、記録されたクレジットカードの利用記録は、公知の手法で、クレジットカードの利用として利用者に対して請求が為される。【０１５８】  料金請求装置１１は、事業者システム１７から受信した請求データに於ける仮想ＩＤを抽出し、その仮想ＩＤに関連づけられたクレジットカード番号を、決済機関側仮想ＩＤデータベース１２から抽出し、当該抽出したクレジットカード番号の利用者のクレジットカードの利用記録として当該請求データの金額を、クレジットカード利用データベース１３に記録する装置である。【０１５９】  決済機関側仮想ＩＤデータベース１２は、仮想ＩＤとクレジットカード番号とを関連づけて記録しているデータベースであり、実施例１の決済機関側仮想ＩＤデータベース１２と同様である。従って本実施例の決済機関側仮想ＩＤデータベース１２も図７の概念図を示す。【０１６０】  クレジットカード利用データベース１３は、クレジットカード番号とその利用金額とを関連づけて記録しているデータベースであり、実施例１のクレジットカード利用データベース１３と同様である。従って本実施例のクレジットカード利用データベース１３も図８の概念図を示す。【０１６１】  次に図１７（ａ）のシステム構成に於けるプロセスの流れの一例を、図２１のフローチャート図と図１９のシステム構成図とを用いて説明する。【０１６２】  利用者は携帯電話等の事業者が提供する何らかのサービスを享受することによって、その利用料金が随時、公知の方法で事業者売上データベース１９に記録される（Ｓ４００）。【０１６３】  売上管理装置１８は、事業者の請求の締めの期限が到来すると、事業者売上データベース１９から事業者売上データベース１９から利用者識別情報と利用料金とを抽出する。そして抽出した利用者識別情報を共同センターシステム１４に送信することによって、当該利用者識別情報が関連づけられた仮想ＩＤの問い合わせを行う（Ｓ４１０）。【０１６４】  事業者システム１７から利用者識別情報を受信した共同センターシステム１４は、事業者仮想ＩＤデータベース２０から当該利用者識別情報に関連づけられた仮想ＩＤの検索を行い、抽出する。そして共同センターシステム１４は、抽出した仮想ＩＤを事業者システム１７に対して送信する。【０１６５】  共同センターシステム１４が送信した仮想ＩＤは事業者システム１７で受信し（Ｓ４２０）、当該受信した仮想ＩＤと当該利用者の利用料金とを請求データとして決済機関側システム３に送信する（Ｓ４３０）。【０１６６】  決済機関側システム３はＳ４３０で送信された請求データを受信し（Ｓ４４０）、受信した請求データに於ける仮想ＩＤを抽出する。そして抽出した仮想ＩＤに関連づけられたクレジットカード番号を、決済機関側仮想ＩＤデータベー���１２から抽出し（Ｓ４５０）、当該抽出したクレジットカード番号の利用者のクレジットカードの利用記録として、当該請求データの金額をクレジットカード利用データベース１３に記録する（Ｓ４６０）。【０１６７】  このようにしてクレジットカード利用データベース１３に各利用者毎の金額を記録後、公知のクレジットカードの請求方法と同様に、所定時期に利用者に対して請求を行う（Ｓ４７０）。【０１６８】  以上のようなプロセスを経ることによって、交通事業者以外の一般的な事業者、例えば携帯電話会社等であっても、事業者側に利用者のクレジットカード番号を通知することなく、利用者の安心感を得たままでクレジットカード決済を行うことが可能となる。
【実施例９】
【０１６９】  図１７（ｂ）の概念図の場合のシステム構成を図２０のシステム構成図を用いて説明する。【０１７０】  事業者システム１７は、利用者に対して何らかのサービスを提供することによってその対価を利用者から徴収している事業者、例えば携帯電話会社等、が有するシステムであり、売上管理装置１８と事業者売上データベース１９とを有している。事業者システム１７は実施例８と同様であり、売上管理装置１８と事業者売上データベース１９とを有する。売上管理装置１８と事業者売上データベース１９も実施例８と同様である。【０１７１】  共同センターシステム１４は、事業者システム１７とネットワーク５を介してデータの送受信が可能なシステムであって、事業者統合仮想ＩＤデータベース２１を有する。【０１７２】  事業者統合仮想ＩＤデータベース２１は、利用者を識別する利用者識別情報と利用者に対して予め決済システム１１から付与された仮想ＩＤとクレジットカード番号とを関連づけて記録しているデータベースである。図２９に事業者統合仮想ＩＤデータベース２１の概念図を示す。【０１７３】  共同センターシステム１４は、事業者システム１７から受信した利用者識別情報に基づいて、事業者統合仮想ＩＤデータベース２１から当該利用者識別情報に関連づけられた仮想ＩＤを抽出し、それを事業者システム１７に送信する。又、決済機関側システム３から受信した仮想ＩＤに基づいて、事業者統合仮想ＩＤデータベース２１から当該仮想ＩＤに関連づけられたクレジットカード番号を抽出し、それを決済機関側システム３に送信する。【０１７４】  決済機関側システム３は、ネットワク５を介して事業者システム１７から請求データを受信し、その請求データに於ける仮想ＩＤに基づいて、当該仮想ＩＤに関連づけられたクレジットカード番号の問い合わせを行い、共同センターシステム１４から受信したクレジットカード番号のクレジットカードの利用記録として記録する。決済機関側システム３は、料金請求装置１１とクレジットカード利用データベース１３とを有している。尚、記録されたクレジットカードの利用記録は、公知の手法で、クレジットカードの利用として利用者に対して請求が為される。【０１７５】  料金請求装置１１は、事業者システム１７から受信した請求データに於ける仮想ＩＤを抽出し、抽出した仮想ＩＤを共同センターシステム１４に送信することによって、その仮想ＩＤに関連づけられたクレジットカード番号の問い合わせを行う。そして共同センターシステム１４から受信したクレジットカード番号の利用者のクレジットカードの利用記録として当該請求データの金額を、クレジットカード利用データベース１３に記録する装置である。【０１７６】  クレジットカード利用データベース１３は、クレジットカード番号とその利用金額とを関連づけて記録しているデータベースであり、実施例８のクレジットカード利用データベース１３と同様である。従って本実施例のクレジットカード利用データベース１３も図８の概念図を示す。【０１７７】  次に図１７（ｂ）のシステム構成に於けるプロセスの流れの一例を、図２２のフローチャート図と図２０のシステム構成図とを用いて説明する。【０１７８】  利用者は携帯電話等の事業者���提供する何らかのサービスを享受することによって、その利用料金が随時、公知の方法で事業者売上データベース１９に記録される（Ｓ５００）。【０１７９】  売上管理装置１８は、事業者の請求の締めの期限が到来すると、事業者売上データベース１９から事業者売上データベース１９から利用者識別情報と利用料金とを抽出する。そして抽出した利用者識別情報を共同センターシステム１４に送信することによって、当該利用者識別情報が関連づけられた仮想ＩＤの問い合わせを行う（Ｓ５１０）。【０１８０】  事業者システム１７から利用者識別情報を受信した共同センターシステム１４は、事業者統合仮想ＩＤデータベース２１から当該利用者識別情報に関連づけられた仮想ＩＤの検索を行い、抽出する。そして共同センターシステム１４は、抽出した仮想ＩＤを事業者システム１７に対して送信する。【０１８１】  共同センターシステム１４が送信した仮想ＩＤは事業者システム１７で受信し（Ｓ５２０）、当該受信した仮想ＩＤと当該利用者の利用料金とを請求データとして決済機関側システム３に送信する（Ｓ５３０）。【０１８２】  決済機関側システム３はＳ５３０で送信された請求データを受信し（Ｓ５４０）、受信した請求データに於ける仮想ＩＤを抽出する。そして抽出した仮想ＩＤを料金請求装置１１は共同センターシステム１４に対して送信し、仮想ＩＤに関連づけられたクレジットカード番号の問い合わせを行う。【０１８３】  決済機関側システム３から仮想ＩＤを受信した共同センターシステム１４は、事業者統合仮想ＩＤデータベース２１から当該仮想ＩＤに関連づけられたクレジットカード番号の検索を行い、抽出する。そして共同センターシステム１４は、抽出したクレジットカード番号を決済機関側システム３に対して送信する。【０１８４】  共同センターシステム１４からクレジットカード番号を受信した決済機関側システム３の料金請求装置１１は（Ｓ５６０）、受信したクレジットカード番号の利用者のクレジットカードの利用記録として、当該請求データの金額をクレジットカード利用データベース１３に記録する（Ｓ５７０）。【０１８５】  このようにしてクレジットカード利用データベース１３に各利用者毎の金額を記録後、公知のクレジットカードの請求方法と同様に、所定時期に利用者に対して請求を行う（Ｓ５８０）。【０１８６】  以上のようなプロセスを経ることによって、交通事業者以外の一般的な事業者、例えば携帯電話会社等であっても、事業者側に利用者のクレジットカード番号を通知することなく、利用者の安心感を得たままでクレジットカード決済を行うことが可能となる。
【実施例１０】
【０１８７】  更に実施例８及び実施例９に於いては、図１８の概念図に示すように、一人の利用者が複数の事業者を利用し、その利用金額は一つのクレジットカードによって行うこととしても良い。即ち実施例２や実施例６の場合と同様に、各事業者には、実施例８又は実施例９の事業者システム１７が設けられている。又利用者に対して決済システム１全体で一つの仮想ＩＤ、即ち各社共通の仮想ＩＤが予め付与されていることとなる。例えば、実施例２の場合と同様に、Ａ社の利用者識別情報が「１１１１１」、その仮想ＩＤが「Ａ」として関連づけられており、同一の利用者のＢ社の利用者識別情報が「ａａａａａ」、その仮想ＩＤが「Ａ」として関連づけられていることとなる。即ちＡ社及びＢ社の双方に於いて利用者の利用者識別情報は同一の仮想ＩＤに関連づけられている。このような場合の事業者仮想ＩＤデータベース２０、事業者統合仮想ＩＤデータベース２１の概念図を図３０、図３１に示す。【０１８８】  図３０の事業者仮想ＩＤデータベース２０は、各事業者の利用者識別情報と仮想ＩＤとが関連づけられているデータベースであり、図３１の事業者統合仮想ＩＤデータベース２１は、各事業者の利用者識別情報と仮想ＩＤとクレジットカード番号とが関連づけられているデータベースである。【０１８９】  このようなデータベースを共同センターシステム１４に設けることにより、実施例８、実施例９と同様の処理を各事業者毎に行えば、決済機関側システム３は、一社の事業者システム１７の場合と同様の処理で、複数の事業者を利用した料金を、一つのクレジットカードによって支払うことが行える。【０１９０】  図３０のように構成された事業者仮想ＩＤデータベース２０を共同センターシステム１４に設けることによって（即ち図１８（ａ）の場合）、利用者がクレジットカードを紛失したことによってそのクレジットカード番号が変更された場合には、利用者は決済機関側システム３に対してその通知を行えばよい。【０１９１】  又図３１のように構成された事業者統合仮想ＩＤデータベース２１を共同センターシステム１４に設けることによって（即ち図１８（ｂ）の場合）、利用者がクレジットカードのクレジットカード番号の変更又は事業者内に於いて利用者の属性が変更した等によって利用者識別情報の変更が行われたとしても、共同センターシステム１４にその通知を行えばよい。その場合共同センターシステム１４は変更が行われたクレジットカード番号又は利用者識別情報のみの変更作業を行えばよい。【０１９２】  このような図１８の場合、実施例２や実施例６と同様に、複数の事業者は日本国内の事業者のみに限定されるものではなく、海外の事業者と日本国内の事業者とが本決済システム１を同様に利用することも可能である。この場合、海外の事業者の請求については現地通貨で行われても良いし、それを決済機関側システム３が換算レートを用いて自動的に日本円に換算し、請求を行っても良い。このようにすることで、日本の利用者が海外の事業者を利用した際に、海外の事業者に対しても、その海外の事業者に対してクレジットカード番号を告げることなく、クレジットカード決済が可能となる。
【実施例１１】
【０１９３】  更に、実施例３や実施例７と同様に、複数の利用者の請求を一つのクレジットカード番号で行っても良い。例えば家族で異なる携帯電話を利用している場合、その利用料金の支払いを同一のクレジットカード番号で行っても良い。【０１９４】  つまり、決済機関側仮想ＩＤデータベース１２（図１８（ａ）の場合）又は事業者統合仮想ＩＤデータベース２１（図１８（ｂ）の場合）に於いて、一つのクレジットカード番号と複数の仮想ＩＤとを関連づけておくことにより、まとめて請求が可能となる。このような場合の決済機関側仮想ＩＤデータベース１２の概念図は図１０と同様であり、事業者統合仮想ＩＤデータベース２１の概念図を図３２に示す。【０１９５】  例えば利用者識別情報が「２２２２２」である利用者Ｘと利用者識別情報が「４４４４４」である利用者Ｙとが存在している場合に於いて、利用者Ｘと利用者Ｙとが同一のクレジットカード番号「０９８７−６５４３−２１０９−８７６５」から支払を行うことを予め申し込んでいる場合には、その決済機関側仮想ＩＤデータベース１２又は事業者統合仮想ＩＤデータベース２１は、図１０又は図３２のように仮想ＩＤ「Ｂ」及び仮想ＩＤ「Ｄ」に関連づけられたクレジットカード番号は「０９８７−６５４３−２１０９−８７６５」として記録されていることとなる。【０１９６】  これによって、仮想ＩＤ「Ｂ」に関する請求データ、仮想ＩＤ「Ｄ」に関する請求データを事業者システム１７から受信したとしても、同一のクレジットカード番号「０９８７−６５４３−２１０９−８７６５」から支払を行うことが可能となる。
【実施例１２】
【０１９７】  尚、各実施例１乃至実施例１１に於いては、交通機関側システム２から決済機関側システム３、事業者システム１７から決済機関側システム３への請求データの送信は、ネットワーク５によって送信される場合の他、磁気ディスク、光磁気ディスク、光ディスク、磁気テープ、不揮発性のメモリカード等の各種記録媒体によって行われても良い。この場合、請求データは交通機関側システム２又は事業者システムで記録媒体に記録され、それを決済機関側システム３で読み取ることとなる。【０１９８】  更に交通機関側システム２、決済機関側システム３、事業者システム１７と共同センターシステム１４との間でのデータの送受信、即ち仮想ＩＤの問い合わせ、問い合わせに対する仮想ＩＤの結果、クレジットカード番号の問い合わせ、問い合わせに対するクレジットカード番号の結果を、ネットワーク５を介して行う他、磁気ディスク、光磁気ディスク、光ディスク、磁気テープ、不揮発性のメモリーカード等の各種の記録媒体によってその授受を行っても良い。【０１９９】  つまりネットワーク５を介してオンライン処理を行うのではなく、各データを記録した記録媒体を交通機関側システム２、決済機関側システム３、事業者システム１７、共同センターシステム１４で読み込み／書き込みすることによってその処理を行っても良い。例えば仮想ＩＤの問い合わせの場合、ＩＣカード識別情報／利用者識別情報を交通機関側システム２／事業者システム１７で記録媒体に記録し、それを共同センターシステム１４で読み込み、ＩＣカード識別情報／利用者識別情報に関連づけられた仮想ＩＤを共同センターシステム１４で当該記録媒体に記録する。その仮想ＩＤを記録した記録媒体を再度交通機関側システム２／事業者システム１７で読み込むことで、仮想ＩＤと含む請求データとする。一方、クレジットカード番号の問い合わせの場合、仮想ＩＤを決済機関側システム３で記録媒体に記録し、それを共同センター１４で読み込み、当該仮想ＩＤに関連づけられたクレジットカード番号を共同センターシステム１４で当該記録媒体に記録する。そのクレジットカード番号を記録した記録媒体を再度決済機関側システム３で読み込むことで、クレジットカードの利用記録とすることとなる。【０２００】  又共同センターシステム１４でＩＣカード識別情報／利用者識別情報と仮想ＩＤの関連づけ、更にはそれらとクレジットカード番号との関連づけを所持している場合には、上述のように、ＩＣカード識別情報／利用者識別情報を共同センターシステム１４に送信、或いは記録媒体に記録することによって仮想ＩＤを交通機関側システム２／事業者システム１７で取得し、仮想ＩＤと利用料金等とを請求データとして交通機関側システム２／事業者システム１７から決済機関側システム３に送信、或いは記録媒体に記録するのみならず、ＩＣカード識別情報／利用者識別情報と利用料金等を含むデータを共同センターシステム１４に送信、或いは記録媒体に記録し、当該データのうちＩＣカード識別情報／利用者識別情報を抽出し、ＩＣカード識別情報／利用者識別情報に関連づけられた仮想ＩＤに共同センターシステム１４でＩＣカード識別情報／利用者識別情報を変換し、変換した仮想ＩＤと利用料金等���請求データとして共同センターシステム１４から決済機関側システム３に送信、或いは記録媒体に記録することによって行っても良い。
【実施例１３】
【０２０１】  更に、実施例４から実施例７に於いて共同センターシステム１４を用いる際に、利用者に対して発行するＩＣカード４に、そのＩＣカード４で利用できる利用限度枠を設定しても良い。この場合の決済システムのシステム構成の一例を図３３に示す。【０２０２】  図３３に示したシステム構成では、実施例４の交通機関側システム２に更に利用限度枠設定装置２２を設けた場合を示している。実施例５、実施例６、実施例７の場合の交通機関側システム２にも、同様に利用限度枠設定装置２２を設けることが出来る。【０２０３】  又、共同センターシステム１４に設けられた共同センター仮想ＩＤデータベース１５、統合仮想ＩＤデータベース１６は、更に仮想ＩＤ毎の利用限度枠（仮想ＩＤ利用限度枠）と既に当該仮想ＩＤに関連づけられたＩＣカード識別情報を有するＩＣカード４に付与した利用限度枠の合計（付与済み利用限度枠）とを記録している。従って、共同センター仮想ＩＤデータベース１５は、仮想ＩＤとＩＣカード識別情報と仮想ＩＤ利用限度枠と付与済み利用限度枠とを関連づけて記録しており、統合仮想ＩＤデータベース１６は、仮想ＩＤとＩＣカード識別情報とクレジットカード番号と仮想ＩＤ利用限度枠と付与済み利用限度枠とを記録している。この場合の共同センター仮想ＩＤデータベース１５の概念図を図３４、統合仮想ＩＤデータベース１６の概念図を図３５に示す。【０２０４】  利用限度枠設定装置２２は、ＩＣカード４に、ＩＣカード４に対する利用限度枠（ＩＣカード利用限度枠）を書き込む装置である。即ち、ＩＣカード４のＩＣカード識別情報を読み取り、利用者が当該ＩＣカード４に設定を希望する利用限度枠の入力を受け付け、そのＩＣカード識別情報と入力を受け付けた希望する利用限度枠とを共同センターシステム１４に送信し、その利用限度枠がＩＣカード利用限度枠として設定可能か否かを問い合わせる。【０２０５】  一方この問い合わせを受信した共同センターシステム１４は、当該共同センター仮想ＩＤデータベース１５、統合仮想ＩＤデータベース１６のうち、当該ＩＣカード識別情報に関連づけられた仮想ＩＤと付与済み利用限度枠とを抽出する。【０２０６】  そして抽出した付与済み利用限度枠と、利用限度枠設定装置２２から受信した利用者が希望するＩＣカード利用限度枠とを加算し、その合計が仮想ＩＤ利用限度枠以下であった場合には、共同センターシステム１４は、設定可能の通知を利用限度枠設定装置２２に送信する。【０２０７】  一方、抽出した付与済み利用限度枠と、利用限度枠設定装置２２から受信した利用者が希望するＩＣカード利用限度枠とを加算し、その合計が仮想ＩＤ利用限度枠より大きい場合には、共同センターシステム１４は、設定不可の通知を利用限度枠設定装置２２に送信する。【０２０８】  共同センターシステム１４から設定可能の通知を受信した利用限度枠設定装置２２は、利用者にＩＣカード利用限度枠を設定することの再確認を表示し、利用者が承諾すれば（「ＯＫ」等を選択すれば）、利用限度枠設定装置２２は、前記入力を受け付けた利用限度枠をＩＣカード４のＩＣカード利用限度枠として記録すると共に、設定したＩＣカード利用限度枠とＩＣカード識別情報とを共同センターシス��ム１４に送信する。それを受信した共同センターシステム１４は、当該ＩＣカード識別情報に関連づけられた付与済み利用限度枠に、新たに付与したＩＣカード利用限度枠を加算して、付与済み利用限度枠を更新する。【０２０９】  一方、共同センターシステム１４から設定不可の通知を受信した利用限度枠設定装置２２は、設定が許可されなかったことを表示等し、ＩＣカード利用限度枠の再入力を促す。【０２１０】  例えばＩＣカード識別情報が図３４に示すように、「３３３３３」の場合であって、設定を希望する利用限度枠が５，０００円である場合、利用限度枠設定装置２２は、共同センターシステム１４にそれらを送信し、設定可能か否かの問い合わせを行う。【０２１１】  共同センターシステム１４は、共同センター仮想ＩＤデータベース１５、統合仮想ＩＤデータベース１６からＩＣカード識別情報「３３３３３」に関連づけられた仮想ＩＤ利用限度枠「８，０００」、付与済み利用限度枠「１，０００」を抽出する。そして、付与済み利用限度枠「１，０００」に希望する利用限度枠「５，０００」を加算した「６，０００」は、仮想ＩＤ利用限度枠「８，０００」以下であるので、共同センターシステム１４は、利用限度枠設定装置２２に設定可能の通知を送信する。【０２１２】  そして利用限度枠設定装置２２で設定の再確認の承諾を受け付けた後、利用限度枠設定装置２２は、当該ＩＣカード４にＩＣカード利用限度枠として「５，０００」を記録すると共に、ＩＣカード識別情報「３３３３３」と新たに付与したＩＣカード利用限度枠「５，０００」を共同センターシステム１４に送信する。【０２１３】  それらを受信した共同センターシステム１４は、共同センター仮想ＩＤデータベース１５、統合仮想ＩＤデータベース１６のＩＣカード識別情報「３３３３３」に関連づけられた付与済み利用限度枠「１，０００」に、新たに付与したＩＣカード利用限度枠「５，０００」を加算して、新たな付与済み利用限度枠を「６，０００」に更新することとなる。【０２１４】  上述のようにＩＣカード４に付与したＩＣカード利用限度枠は、利用者が出場する際にＩＣカード４を自動改札機６で読み取らせる際に、ＩＣカード利用限度枠とその充当金額／利用料金とを比較して、ＩＣカード利用限度枠を超過した充当金額／利用料金の場合、エラーとして、自動改札機６で出場を拒否する（自動改札機６のゲートを封鎖する、音を鳴らす等）。一方、ＩＣカード利用限度枠とその充当金額／利用料金とを比較して、ＩＣカード利用限度枠以内の充当金額／利用料金の場合、自動改札機６はそのまま出場を許可する。【０２１５】  尚、出場の際には、単に、ＩＣカード利用限度枠と充当金額／利用料金との比較を行うのみならず、更に交通機関利用データベースに記録している当該ＩＣカード識別情報の充当金額／利用金額であって、まだ決済が行われていないものを更に加算しても良い。【０２１６】  これは、自動改札機６が出場の際にＩＣカード識別情報とＩＣカード利用限度枠、駅を識別する情報とを読み取ることにより、今回の充当金額／利用金額とを算出し、更に読み取ったＩＣカード識別情報に基づいて、改札制御装置７を介して交通機関利用データベース１０を検索する。そして当該���Ｃカード識別情報の充当金額／利用金額であって、まだ決済が行われていないものを更に加算して、ＩＣカード利用限度枠との比較をする。このように交通機関利用データベース１０の充当金額／利用金額も比較対象とすることによって、その時点のみではなく、利用者の過去の充当金額／利用金額であって未決済のものもＩＣカード利用限度枠として比較することが出来、より正確な与信管理が可能となる。【０２１７】  従って、交通機関利用データベース１０に記録されているＩＣカード識別情報と充当金額／利用金額は、利用者が決済機関からの支払を行った場合に、決済機関側システム３から交通機関側システム２に送信され、交通機関側システム２は仮想ＩＤを共同センターシステム１４に問い合わせることによって、当該仮想ＩＤに関連づけられたＩＣカード識別情報を取得し、交通機関利用データベースに記録した当該ＩＣカード識別情報に関連づけられた充当金額／利用金額を０にすれば良い。
【実施例１４】
【０２１８】  更に、実施例１３の利用限度枠の他の設定方法として、実施例４から実施例１１に於いて共同センターシステム１４を用いる際に、共同センターシステム１４に設けられた共同センター仮想ＩＤデータベース１５、統合仮想ＩＤデータベース１６、事業者仮想ＩＤデータベース２０、事業者統合仮想ＩＤデータベース２１に、実施例１３と同様に仮想ＩＤ利用限度枠を設定しておく。【０２１９】  そして交通機関側システム２の管理装置８又は事業者システム１７の売上管理装置１８がＩＣカード識別情報又は利用者識別情報を共同センターシステム１４に問い合わせる際に、ＩＣカード識別情報と併せて充当金額／利用金額、利用者識別情報と併せて利用料金を、送信する。【０２２０】  共同センターシステム１４は、ＩＣカード識別情報、利用者識別情報に関連づけられた仮想ＩＤと、その仮想ＩＤに関連づけられた仮想ＩＤ利用限度枠とを、共同センター仮想ＩＤデータベース１５／統合仮想ＩＤデータベース１６／事業者仮想ＩＤデータベース２０／事業者統合仮想ＩＤデータベース２１から抽出する。そして、仮想ＩＤに関連づけられたＩＣカード識別情報の充当金額／利用金額を合計し、又は、仮想ＩＤに関連づけられた利用者識別情報の利用料金を合計し、それらが仮想ＩＤ利用限度枠以下であるかを判定する。【０２２１】  仮想ＩＤ利用限度枠内であれば、そのまま交通機関側システム２、事業者システム１７に対してＩＣカード識別情報に関連づけられた仮想ＩＤを送信する（図１５のＳ２２０〜Ｓ２３０、図１６のＳ３２０〜Ｓ３３０、図２１のＳ４１０〜Ｓ４２０、図２２のＳ５１０〜Ｓ５２０の処理）。【０２２２】  もし合計が仮想ＩＤ利用限度枠より多ければ、次回からＩＣカード４の利用、サービスの利用を拒否するネガデータを作成する。このネガデータは、当該仮想ＩＤに関連づけられたＩＣカード識別情報／利用者識別情報を有する。そして交通機関側システム２、事業者システム１７に対してＩＣカード識別情報／利用者識別情報に関連づけられた仮想ＩＤを送信する（図１５のＳ２２０〜Ｓ２３０、図１６のＳ３２０〜Ｓ３３０、図２１のＳ４１０〜Ｓ４２０、図２２のＳ５１０〜Ｓ５２０の処理）際に併せて、ネガデータも送信する。【０２２３】  交通機関側システム２の自動改札機６、事業者システム１７の売上管理装置８は、利用者がＩＣカード４で駅から出場する際、或いは何らかの利用をする場合に、このネガデータのＩＣカード識別情報／利用者識別情報と比較し、出場を許可する或いは利用を許可するかの判定を行う。ネガデータにＩＣカード識別情報／利用者識別情報がある場合には出場を不許可／利用を不許可とし、ネガデータにＩＣカード識別情報／利用者識別情報がない場合には出場を許可／利用を許可する。【０２２４】  例えば仮想ＩＤに関連づけられたＩＣカード識別情報が２つあり、各々の充当金額／利用金額が「５，０００」、「８，０００」であり、当該仮想ＩＤ利用限度枠が「１５，０００」であったとする。そうすると仮想ＩＤあたりの充当金額／利用金額の合計が１３，０００（＝５，０００＋８，０００）であるので、仮想ＩＤ利用限度枠を超えていない。【０２２５】  従って共同センターシステム１４は、交通機関側シ��テム２、事業者システム１７に対してＩＣカード識別情報に関連づけられた仮想ＩＤを送信する（図１５のＳ２２０〜Ｓ２３０、図１６のＳ３２０〜Ｓ３３０、図２１のＳ４１０〜Ｓ４２０、図２２のＳ５１０〜Ｓ５２０の処理）。【０２２６】  一方、仮想ＩＤに関連づけられたＩＣカード識別情報が２つあり、各々の充当金額／利用金額が「５，０００」、「８，０００」であり、当該仮想ＩＤ利用限度枠が「１０，０００」であったとする。そうすると仮想ＩＤあたりの充当金額／利用金額の合計が１３，０００（＝５，０００＋８，０００）であるので、仮想ＩＤ利用限度枠を超過している。【０２２７】  従って共同センターシステム１４は、当該仮想ＩＤに関連づけられたＩＣカード識別情報／利用者識別情報をネガデータに記録する。そして交通機関側システム２、事業者システム１７に対してＩＣカード識別情報／利用者識別情報に関連づけられた仮想ＩＤを送信する（図１５のＳ２２０〜Ｓ２３０、図１６のＳ３２０〜Ｓ３３０、図２１のＳ４１０〜Ｓ４２０、図２２のＳ５１０〜Ｓ５２０の処理）際に併せて、ネガデータも送信する。【０２２８】  そうすると、例えば次回の入場／出場の際に、利用者がＩＣカード４を自動改札機６に読み取らせた場合に、自動改札機６が当該ネガデータに当該ＩＣカード４のＩＣカード識別情報が含まれているかを判定すると、含まれているので、入場／出場が拒否される。【０２２９】  同様に、例えば次回、利用者が事業者のサービスを利用する為に利用者識別情報を入力した場合、売上管理装置１８が当該ネガデータに当該利用者識別情報が含まれているかを判定すると、含まれているのでサービスの利用が拒否される。【０２３０】  このように仮想ＩＤ利用限度枠を設けることによって、利用者の支払能力、与信能力を超えた範囲での使用を防止することが出来る。尚、この仮想ＩＤ利用限度枠は、仮想ＩＤに関連づけられたクレジットカードの限度枠以下であることが望ましい。【０２３１】  更に、実施例１３及び実施例１４の仮想ＩＤ利用限度枠は、一つのクレジットカード番号に対して、そのクレジットカード番号に対する支払限度枠（クレジットカード会社がクレジットカード番号の利用者に対して付与している限度枠であっても良いし、それ以外に別途設定された金額であっても良い）以下に設定されている。従って、支払を行うクレジットカードに複数の仮想ＩＤが割り当てられている場合、クレジットカード番号に関連づけられた仮想ＩＤの仮想ＩＤ利用限度枠の合計は、クレジットカード番号に対する支払限度枠以下となり、仮想ＩＤに関連づけられたＩＣカード識別情報のＩＣカード利用限度枠の合計は、仮想ＩＤ利用限度枠以下となる。【０２３２】  本発明に於ける各装置、データベースは、その機能が論理的に区別されているのみであって、物理上あるいは事実上は同一の領域を為していても良い。又データベースの代わりにデータファイル、記憶手段であっても良いことは言うまでもなく、データベースとの記載にはデータファイル、記憶手段をも含んでいる。【０２３３】  尚、本発明を実施するにあたり本実施態様の機能を実現するソフトウェアのプログラムを記録した記憶媒体をシステムに供給し、そのシステムのコンピュータが���憶媒体に格納されたプログラムを読み出し実行することによって実現されることは当然である。【０２３４】  この場合、記憶媒体から読み出されたプログラム自体が前記した実施態様の機能を実現することとなり、そのプログラムを記憶した記憶媒体は本発明を当然のことながら構成することになる。【０２３５】  プログラムを供給する為の記憶媒体としては、例えば磁気ディスク、ハードディスク、光ディスク、光磁気ディスク、磁気テープ、不揮発性のメモリカード等を使用することができる。【０２３６】  又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。【０２３７】  更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【産業上の利用可能性】
【０２３８】  本発明を用いることによって、オートチャージ方式や後払い方式による決済方式であったとしても、従来のようにＩＣカード識別情報そのものを決済機関に対して送信する必要がないので、利用者がＩＣカード４を紛失し再発行手続等を行ったことによって、ＩＣカード識別情報が変更された場合であっても、交通機関の事業者が自らの交通機関側仮想ＩＤデータベース９のＩＣカード識別情報と仮想ＩＤとの関連づけを変更するのみで済み、その処理負担を軽減することが可能となる。【０２３９】  又、交通機関に対する決済のみならず、一般的な事業者のクレジットカード決済にも用いることが出来、従来は事業者側で所持していたクレジットカード番号を、共同センターシステムで所持することによって、クレジットカード番号の悪用等を防ぐことが可能となる。【０２４０】  更に、仮想ＩＤに複数のＩＣカード識別情報を関連づけることによって、複数の利用者が一つのクレジットカード番号で決済を行うことも可能となる。
【図面の簡単な説明】
【０２４１】［図１］本発明の概念図である。
［図２］本発明のプロセスの流れの一例を示すフローチャート図である。
［図３］従来のオートチャージ方式、後払い方式の概念図である。
［図４］本発明のシステム構成の一例を示すシステム構成図である。
［図５］交通機関利用データベースの概念図である。
［図６］交通機関側仮想ＩＤデータベースの概念図である。
［図７］決済機関側仮想ＩＤデータベースの概念図である。
［図８］クレジットカード利用データベースの概念図である。
［図９］他の実施例の交通機関側仮想ＩＤデータベースの概念図である。
［図１０］他の実施例の決済機関側仮想ＩＤデータベースの概念図である。
［図１１］本発明の他の実施例の概念図である。
［図１２］本発明の他の実施例の概念図である。
［図１３］本発明の他の実施例のシステム構成の一例を示したシステム構成図である。
［図１４］本発明の他の実施例のシステム構成の一例を示したシステム構成図である。
［図１５］本発明の他の実施例のプロセスの流れの一例を示したフローチャート図である。
［図１６］本発明の他の実施例のプロセスの流れの一例を示したフローチャート図である。
［図１７］本発明の交通機関事業者以外の実施例の概念図である。
［図１８］本発明の交通機関事業者以外の実施例の概念図である。
［図１９］本発明の交通機関事業者以外の実施例のシステム構成の一例を示したシステム構成図である。
［図２０］本発明の交通機関事業者以外の実施例のシステム構成の一例を示したシステム構成図である。
［図２１］本発明の交通機関事業者以外の実施例のプロセスの流れの一例を示したフローチャート図である。
［図２２］本発明の交通機関事業者以外の実施例のプロセスの流れの一例を示したフローチャート図である。
［図２３］統合仮想ＩＤデータベースの概念図である。
［図２４］複数の交通機関の場合の共同センター仮想ＩＤデータベースの概念図である。
［図２５］複数の交通機関の場合の統合仮想ＩＤデータベースの概念図である。
［図２６］複数の利用者が同一のクレジットカード番号から決済を行う場合の統合仮想ＩＤデータベースの概念図である。
［図２７］事業者売上データベースの概念図である。
［図２８］事業者仮想ＩＤデータベースの概念図である。
［図２９］事業者統合仮想ＩＤデータベースの概念図である。
［図３０］複数の事業者の場合の共同センター仮想ＩＤデータベースの概念図である。
［図３１］複数の事業者の場合の事業者統合仮想ＩＤデータベースの概念図である。
［図３２］複数の利用者が同一のクレジットカード番号から決済を行う場合の事業者統合仮想ＩＤデータベースの概念図である。
［図３３］ＩＣカードに利用限度枠を設定した場合のシステム構成の一例を示すシステム構成図である。
［図３４］ＩＣカードに利用限度枠を設定した場合の共同センター仮想ＩＤデータベースの概念図である。
［図３５］ＩＣカードに利用限度枠を設定した場合の統合仮想ＩＤデータベースの概念図である。
【符号の説明】
【０２４２】  １：決済システム
２：交通機関側システム
３：決済機関側システム
４：ＩＣカード
５：ネットワーク
６：自動改札機
７：改札制御装置
８：管理装置
９：交通機関側仮想ＩＤデータベース
１０：交通機関利用データベース
１１：料金請求装置
１２：決済機関側仮想ＩＤデータベース
１３：クレジットカード利用データベース
１４：共同センターシステム
１５：共同センター仮想ＩＤデータベース
１６：統合仮想ＩＤデータベース
１７：事業者システム
１８：売上管理装置
１９：事業者売上データベース
２０：事業者仮想ＩＤデータベース
２１：事業者統合仮想ＩＤデータベース
２２：利用限度枠設定装置
【図１】
2004107233.tif 000003
【図２】
2004107233.tif 000004
【図３】
2004107233.tif 000005
【図４】
2004107233.tif 000006
【図５】
2004107233.tif 000007
【図６】
2004107233.tif 000008
【図７】
2004107233.tif 000009
【図８】
2004107233.tif 000010
【図９】
2004107233.tif 000011
【図１０】
2004107233.tif 000012
【図１１】
2004107233.tif 000013
【図１２】
2004107233.tif 000014
【図１３】
2004107233.tif 000015
【図１４】
2004107233.tif 000016
【図１５】
2004107233.tif 000017
【図１６】
2004107233.tif 000018
【図１７】
2004107233.tif 000019
【図１８】
2004107233.tif 000020
【図１９】
2004107233.tif 000021
【図２０】
2004107233.tif 000022
【図２１】
2004107233.tif 000023
【図２２】
2004107233.tif 000024
【図２３】
2004107233.tif 000025
【図２４】
2004107233.tif 000026
【図２５】
2004107233.tif 000027
【図２６】
2004107233.tif 000028
【図２７】
2004107233.tif 000029
【図２８】
2004107233.tif 000030
【図２９】
2004107233.tif 000031
【図３０】
2004107233.tif 000032
【図３１】
2004107233.tif 000033
【図３２】
2004107233.tif 000034
【図３３】
2004107233.tif 000035
【図３４】
2004107233.tif 000036
【図３５】
2004107233.tif 000037
【国際調査報告】
2004107233.tif 000038
2004107233.tif 000039
2004107233.tif 000040
2004107233.tif 000041